(57)【要約】【課題】バッテリセルに接続されている電力線を介して、電力線と電気的に接続されている通信装置から取得される、バッテリセルに関する情報に基づいて、バッテリセルの管理に関する処理を行う処理部を備え、バッテリセルに関する情報は、バッテリセルの状態を検出するセンサが検出した検出結果を示すセンサ情報を含み、処理部は、センサの検出結果に応じた処理を行う、管理装置が提供される。【選択図】図１
2014147896.tif 000002
【特許請求の範囲】
【請求項１】
バッテリセルに接続されている電力線を介して、前記電力線と電気的に接続されている通信装置から取得される、前記バッテリセルに関する情報に基づいて、前記バッテリセルの管理に関する処理を行う処理部を備え、
前記バッテリセルに関する情報は、前記バッテリセルの状態を検出するセンサが検出した検出結果を示すセンサ情報を含み、
前記処理部は、前記センサの検出結果に応じた処理を行う、管理装置。
【請求項２】
前記センサ情報は、温度センサが検出した前記バッテリセルの温度を示し、
前記処理部は、
前記センサ情報が示す前記バッテリセルの温度に基づいて、前記バッテリセルの状態を判定し、
前記バッテリセルが正常でないと判定された場合に、前記バッテリセルの使用を制限させる、請求項１に記載の管理装置。
【請求項３】
前記バッテリセルに関する情報は、電圧センサが検出した前記バッテリセルの電圧を示す前記センサ情報を含み、
前記バッテリセルが充電されている状態であると判定された場合、
前記処理部は、前記センサ情報が示す前記バッテリセルの電圧に基づく、前記バッテリセルに対する充電制御を行う、請求項１に記載の管理装置。
【請求項４】
前記バッテリセルに関する情報は、電圧センサが検出した前記バッテリセルの電圧を示す前記センサ情報を含み、
前記バッテリセルが放電している状態であると判定された場合、
前記処理部は、前記センサ情報が示す前記バッテリセルの電圧に基づいて、前記バッテリセルの放電状態を判定し、
判定結果に応じて、前記バッテリセルの放電を制限させる、請求項１に記載の管理装置。
【請求項５】
前記センサ情報は、電圧センサが検出した前記バッテリセルの電圧を示し、
前記処理部は、前記センサ情報が示す前記バッテリセルの電圧に基づいて、前記バッテリセルに蓄積されている電荷量を推定する、請求項１に記載の管理装置。
【請求項６】
前記処理部は、前記センサ情報が示す前記センサの検出結果に基づくログ情報と、前記ログ情報を記録媒体に記録させる記録命令とを、前記電力線を介して前記通信装置に対して送信させる、請求項１に記載の管理装置。
【請求項７】
前記通信装置と前記電力線を介して通信を行う通信部をさらに備え、
前記処理部は、前記通信部に前記通信装置と通信を行わせることによって、前記通信装置から前記バッテリセルに関する情報を取得する、請求項１に記載の管理装置。
【請求項８】
前記通信部は、
前記通信装置に対して前記バッテリセルに関する情報を送信させる信号を送信し、
前記通信装置において受信された前記信号に基づいて負荷変調が行われることによって送信される、前記バッテリセルに関する情報を、受信する、請求項７に記載の管理装置。
【請求項９】
前記通信部は、
前記電力線と接続され、少なくとも前記電力線を流れる電力の周波数の信号を遮断し、前記電力の周波数よりも高い周波数の高周波信号を遮断しないフィルタと接続され、
前記高周波信号を前記フィルタおよび前記電力線を介して送信して、前記通信装置と通信を行う、請求項７に記載の管理装置。
【請求項１０】
バッテリセルに接続されている電力線と電気的に接続され、
前記電力線を介して外部装置から送信される、前記電力線を流れる電力の周波数よりも高い周波数の高周波信号から電力を得て駆動し、
前記高周波信号から得られる電力を前記バッテリセルの状態を検出するセンサに供給し、
供給された前記電力で駆動した前記センサから得られた、前記センサが検出した検出結果を示すセンサ情報を含む、前記バッテリセルに関する情報を、前記電力線を介して負荷変調で前記外部装置へ送信する、通信部を備える、通信装置。
【請求項１１】
前記通信部は、前記バッテリセルの正極側の電力線および負極側の電力線に接続される、請求項１０に記載の通信装置。
【請求項１２】
前記通信部は、前記バッテリセルの正極側の電力線、または、負極側の電力線に接続される、請求項１０に記載の通信装置。
【請求項１３】
前記バッテリセルをさらに備える、請求項１０に記載の通信装置。
【請求項１４】
前記センサをさらに備える、請求項１０に記載の通信装置。
【請求項１５】
バッテリセルに接続されている電力線を介して、前記電力線と電気的に接続されている通信装置から取得される、前記バッテリセルに関する情報に基づいて、前記バッテリセルの管理に関する処理を行うステップを有し、
前記バッテリセルに関する情報は、前記バッテリセルの状態を検出するセンサが検出した検出結果を示すセンサ情報を含み、
前記バッテリセルの管理に関する処理を行うステップでは、前記センサの検出結果に応じた処理が行われる、管理方法。
【請求項１６】
バッテリセルに接続されている電力線と電気的に接続される通信装置と、
前記電力線を介して前記通信装置から取得される、前記バッテリセルに関する情報に基づいて、前記バッテリセルの管理に関する処理を行う管理装置と、
を有し、
前記通信装置は、
前記電力線を介して前記管理装置が送信させる、前記電力線を流れる電力の周波数よりも高い周波数の高周波信号から電力を得て駆動し、
前記高周波信号から得られる電力を前記バッテリセルの状態を検出するセンサに供給し、
供給された前記電力で駆動した前記センサから得られた、前記センサが検出した検出結果を示すセンサ情報を含む、前記バッテリセルに関する情報を、前記電力線を介して負荷変調で前記管理装置へ送信する、通信部を備え、
前記管理装置は、
前記通信装置から送信された、前記バッテリセルに関する情報に基づいて、前記バッテリセルの管理に関する処理を行う処理部を備え、
前記処理部は、前記バッテリセルに関する情報に含まれる前記センサ情報が示す前記センサの検出結果に応じた処理を行う、管理システム。
【発明の詳細な説明】
【技術分野】
【０００１】
本開示は、管理装置、通信装置、管理方法、および管理システムに関する。
【背景技術】
【０００２】
バッテリを管理する技術が開発されている。バッテリ装置に接続されている電力線を介して、当該バッテリ装置から取得されるバッテリ情報を用いることにより、当該バッテリ装置が備えるバッテリの管理の容易化を図る技術としては、例えば下記の特許文献１に記載の技術が挙げられる。
【先行技術文献】
【特許文献】
【０００３】
【特許文献１】特開２０１２−１１００９７号公報
【発明の概要】
【発明が解決しようとする課題】
【０００４】
例えば特許文献１に記載の技術を用いる場合には、バッテリの識別情報、履歴情報、仕様情報、課金情報を含むバッテリ情報を用いて、バッテリが管理される。しかしながら、バッテリの管理は、例えば特許文献１に記載の技術のように、バッテリの識別情報、履歴情報、仕様情報、課金情報を含むバッテリ情報を用いることに限られない。【０００５】
本開示では、検出されたバッテリセルの状態に基づいて、バッテリセルを管理することが可能な、新規かつ改良された管理装置、通信装置、管理方法、および管理システムを提案する。
【課題を解決するための手段】
【０００６】
本開示によれば、バッテリセルに接続されている電力線を介して、上記電力線と電気的に接続されている通信装置から取得される、上記バッテリセルに関する情報に基づいて、上記バッテリセルの管理に関する処理を行う処理部を備え、上記バッテリセルに関する情報は、上記バッテリセルの状態を検出するセンサが検出した検出結果を示すセンサ情報を含み、上記処理部は、上記センサの検出結果に応じた処理を行う、管理装置が提供される。【０００７】
また、本開示によれば、バッテリセルに接続されている電力線と電気的に接続され、上記電力線を介して外部装置から送信される、上記電力線を流れる電力の周波数よりも高い周波数の高周波信号から電力を得て駆動し、上記高周波信号から得られる電力を上記バッテリセルの状態を検出するセンサに供給し、供給された上記電力で駆動した上記センサから得られた、上記センサが検出した検出結果を示すセンサ情報を含む、上記バッテリセルに関する情報を、上記電力線を介して負荷変調で上記外部装置へ送信する、通信部を備える、通信装置が提供される。【０００８】
また、本開示によれば、バッテリセルに接続されている電力線を介して、上記電力線と電気的に接続されている通信装置から取得される、上記バッテリセルに関する情報に基づいて、上記バッテリセルの管理に関する処理を行うステップを有し、上記バッテリセルに関する情報は、上記バッテリセルの状態を検出するセンサが検出した検出結果を示すセンサ情報を含み、上記バッテリセルの管理に関する処理を行うステップでは、上記センサの検出結果に応じた処理が行われる、管理方法が提供される。【０００９】
また、本開示によれば、バッテリセルに接続されている電力線と電気的に接続される通信装置と、上記電力線を介して上記通信装置から取得される、上記バッテリセルに関する情報に基づいて、上記バッテリセルの管理に関する処理を行う管理装置と、を有し、上記通信装置は、上記電力線を介して上記管理装置が送信させる、上記電力線を流れる電力の周波数よりも高い周波数の高周波信号から電力を得て駆動し、上記高周波信号から得られる電力を上記バッテリセルの状態を検出するセンサに供給し、供給された上記電力で駆動した上記センサから得られた、上記センサが検出した検出結果を示すセンサ情報を含む、上記バッテリセルに関する情報を、上記電力線を介して負荷変調で上記管理装置へ送信する、通信部を備え、上記管理装置は、上記通信装置から送信された、上記バッテリセルに関する情報に基づいて、上記バッテリセルの管理に関する処理を行う処理部を備え、上記処理部は、上記バッテリセルに関する情報に含まれる上記センサ情報が示す上記センサの検出結果に応じた処理を行う、管理システムが提供される。
【発明の効果】
【００１０】
本開示によれば、検出されたバッテリセルの状態に基づいて、バッテリセルを管理することができる。
【図面の簡単な説明】
【００１１】
【図１】第１の実施形態に係る管理システムの構成の一例を示す説明図である。
【図２】本実施形態に係る管理装置が備える通信部の構成の一例を示す説明図である。
【図３】本実施形態に係る管理装置が備える通信部の他の例を示す説明図である。
【図４】本実施形態に係る通信装置が備える通信部の構成の一例を示す説明図である。
【図５】本実施形態に係る通信装置が備える通信部の構成の他の例を示す説明図である。
【図６】本実施形態に係るフィルタの構成の一例を示す説明図である。
【図７】第２の実施形態に係る管理システムの構成の一例を示す説明図である。
【図８】第３の実施形態に係る管理システムの構成の一例を示す説明図である。
【図９】第４の実施形態に係る管理システムの構成の一例を示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、以下では、下記に示す順序で説明を行う。
１．本実施形態に係る管理方法
２．本実施形態に係る管理システム
３．本実施形態に係るプログラム
【００１４】
（本実施形態に係る管理方法）
本実施形態に係る管理システムを構成する装置それぞれの構成について説明する前に、まず、本実施形態に係る管理方法について説明する。以下では、本実施形態に係る管理システムを構成する本実施形態に係る管理装置が、本実施形態に係る管理方法に係る処理を行う場合を例に挙げて、本実施形態に係る管理方法について説明する。
【００１５】
本実施形態に係る管理装置は、電力線を介して取得された、管理対象となるバッテリセルに関する情報に基づいて、バッテリセルの管理に関する処理を行う（管理処理）。本実施形態に係る管理装置は、例えば、後述する本実施形態に係る管理システムを構成する通信装置（外部装置の一例）から、電力線を介して、本実施形態に係るバッテリセルに関する情報を取得する。ここで、本実施形態に係るバッテリセルとしては、例えば、リチウムイオンバッテリなどの二次電池を構成するバッテリセルが挙げられる。なお、本実施形態に係るバッテリセルに関する情報の取得に係る通信など、本実施形態に係る通信については、後述する。
【００１６】
ここで、本実施形態に係るバッテリセルに関する情報には、例えば、バッテリセルの状態を検出するセンサが検出した検出結果を示すセンサ情報（データ）が含まれる。なお、本実施形態に係るバッテリセルに関する情報に含まれる情報は、上記に限られない。例えば、本実施形態に係るバッテリセルに関する情報には、バッテリセルが充電状態か放電状態かを示すセル状態情報（データ）など、バッテリセルの状態を示す様々な情報（データ）が含まれていてもよい。
【００１７】
本実施形態に係るセンサとしては、例えば、バッテリセルの温度を検出する温度センサや、バッテリセルの電圧（バッテリセルから出力される電圧）を検出する電圧センサ、バッテリセルの電流（バッテリセルから出力される電流）を検出する電流センサなどが挙げられる。つまり、本実施形態に係るセンサ情報は、本実施形態に係る管理システムを構成するセンサの種類に応じて、例えば、バッテリセルの温度や、バッテリセルの電圧、バッテリセルの電流などのうちの、１または２以上を示す。
【００１８】
より具体的には、本実施形態に係る管理装置は、本実施形態に係る管理処理として、例えば下記の（１）〜（６）に示すように、取得されたセンサ情報が示すセンサの検出結果に応じた処理を行う。
【００１９】
（１）本実施形態に係る管理処理の第１の例：取得されたセンサ情報が、温度センサが検出したバッテリセルの温度を示す場合における、本実施形態に係る管理処理
【００２０】
例えば、バッテリセルを含むバッテリ装置（例えば、バッテリパックや、バッテリモジュール）において短絡が発生すると、バッテリセルが急激に過熱する可能性が高い。バッテリセルの過熱は、バッテリセルの寿命を短くすることや、バッテリセルの爆発や発火が発生することなど、様々な望ましくない事象を引き起こしうる。ここで、バッテリ装置における短絡は、例えば、バッテリ装置に対して外力が加わることなどによって、バッテリ装置の内部で発生する。
【００２１】
そこで、本実施形態に係る管理システムでは、例えば、本実施形態に係るセンサとして、温度センサを有することによって、バッテリセルの温度が検出される。
【００２２】
取得されたセンサ情報が、温度センサが検出したバッテリセルの温度を示す場合、本実施形態に係る管理装置は、例えば、センサ情報が示すバッテリセルの温度に基づいて、バッテリセルの状態を判定する。
【００２３】
本実施形態に係る管理装置は、例えば、センサ情報が示すバッテリセルの温度と、温度に係る基準値とを比較し、センサ情報が示すバッテリセルの温度が当該温度に係る基準値より大きい場合（または、当該バッテリセルの温度が当該温度に係る基準値以上の場合）に、バッテリセルが正常でないと判定する。また、本実施形態に係る管理装置は、例えば、センサ情報が示すバッテリセルの温度と、温度に係る基準値とを比較し、センサ情報が示すバッテリセルの温度が当該温度に係る基準値以下の場合（または、当該バッテリセルの温度が当該温度に係る基準値より小さい場合）には、バッテリセルが正常であると判定する。
【００２４】
ここで、本実施形態に係る温度に係る基準値は、例えば、予め設定された固定値であってもよいし、ユーザ操作などによって変更可能な可変値であってもよい。
【００２５】
バッテリセルの状態が判定されると、本実施形態に係る管理装置は、バッテリセルが正常でないと判定された場合に、バッテリセルの使用を制限させる。
【００２６】
ここで、本実施形態に係るバッテリセルの使用を制限させる処理としては、例えば、本実施形態に係る管理装置が、バッテリセルを含むバッテリ装置が備える保護回路を動作させるための制御信号を、後述する本実施形態に係る管理装置が備える通信部（または、当該通信部と同様の構成、機能を有する外部通信デバイス。以下、同様とする。）に、電力線を介してバッテリ装置に対して送信させることが挙げられる。例えば、本実施形態に係る管理装置が、上記制御信号をバッテリ装置に対して送信させることによって、保護回路が動作して、バッテリセルの過熱を防止することが可能となる。
【００２７】
なお、バッテリセルが正常でないと判定された場合における、本実施形態に係る管理処理は、上記に限られない。
【００２８】
例えば、本実施形態に係る管理装置は、バッテリセルが正常でないと判定された場合には、バッテリセルが正常でないことを、ユーザに対して通知させてもよい。本実施形態に係る管理装置は、例えば、文字や画像などを表示画面に表示させる視覚的な通知方法や、音声（音楽も含む）を出力させる聴覚的な方法など、バッテリセルが正常でないことをユーザが認識することが可能な、任意の方法によって、バッテリセルが正常でないことをユーザに対して通知させる。
【００２９】
（２）本実施形態に係る管理処理の第２の例：取得されたセンサ情報が、電圧センサが検出したバッテリセルの電圧を示す場合における、本実施形態に係る管理処理の第１の例
例えば、バッテリセルが充電されるときにはバッテリセルは発熱し、バッテリセルが過度に充電される場合には、バッテリセルが過熱する可能性が高い。バッテリセルの過熱は、上述したように、バッテリセルの寿命を短くすることや、バッテリセルの爆発や発火が発生することなど、様々な望ましくない事象を引き起こしうる。
【００３０】
そこで、本実施形態に係る管理システムでは、例えば、本実施形態に係るセンサとして、電圧センサを有することによって、バッテリセルの電圧が検出される。
【００３１】
取得された本実施形態に係るバッテリセルに関する情報に、電圧センサが検出したバッテリセルの電圧を示すセンサ情報が含まれ、バッテリセルが充電されている状態であると判定された場合には、本実施形態に係る管理装置は、取得されたセンサ情報が示すバッテリセルの電圧に基づく、バッテリセルに対する充電制御を行う。
【００３２】
ここで、取得された本実施形態に係るバッテリセルに関する情報に、バッテリセルが充電されている状態であることを示すセル状態情報が含まれる場合、本実施形態に係る管理装置は、例えば、セル状態情報に基づいて、バッテリセルが充電されている状態であると判定する。
【００３３】
なお、本実施形態に係るバッテリセルが充電されている状態であることを判定する方法は、上記に限られない。例えば、本実施形態に係る管理装置は、電流センサが検出したバッテリセルの電流を示すセンサ情報など、センサ情報が示すセンサの検出結果を用いて、バッテリセルが充電されている状態であることを判定することも可能である。
【００３４】
また、本実施形態に係る充電制御に係る処理としては、例えば、本実施形態に係る管理装置が、所定の精度（例えば、数十［ｍｖ］単位の精度）で充電に係る電圧制御を行わせるための制御信号を、後述する本実施形態に係る管理装置が備える通信部に、電力線を介して、バッテリセルを含むバッテリ装置に対して送信させることが挙げられる。例えば、本実施形態に係る管理装置が、上記制御信号をバッテリ装置に対して送信させることによって、バッテリ装置では、バッテリ装置が備えるバッテリセルの充電、放電を制御する制御回路によって、上記制御信号に応じた充電に係る電圧制御（充電制御）が行われる。よって、バッテリ装置では、バッテリセルの過度の充電が防止される。
【００３５】
（３）本実施形態に係る管理処理の第３の例：取得されたセンサ情報が、電圧センサが検出したバッテリセルの電圧を示す場合における、本実施形態に係る管理処理の第２の例
例えば、バッテリセルが過度に放電される場合には、バッテリセルは二次電池として機能しなくなり、また、当該場合には、バッテリセルが過熱する可能性が高い。バッテリセルの過熱は、上述したように、バッテリセルの寿命を短くすることや、バッテリセルの爆発や発火が発生することなど、様々な望ましくない事象を引き起こしうる。
【００３６】
そこで、本実施形態に係る管理システムでは、例えば、本実施形態に係るセンサとして、電圧センサを有することによって、バッテリセルの電圧が検出される。
【００３７】
取得された本実施形態に係るバッテリセルに関する情報に、電圧センサが検出したバッテリセルの電圧を示すセンサ情報が含まれ、バッテリセルが放電している状態であると判定された場合には、本実施形態に係る管理装置は、取得されたセンサ情報が示すバッテリセルの電圧に基づいて、バッテリセルの放電状態を判定する。
【００３８】
ここで、取得された本実施形態に係るバッテリセルに関する情報に、バッテリセルが放電している状態であることを示すセル状態情報が含まれる場合、本実施形態に係る管理装置は、例えば、セル状態情報に基づいて、バッテリセルが放電している状態であると判定する。
【００３９】
なお、本実施形態に係るバッテリセルが放電している状態であることを判定する方法は、上記に限られない。例えば、本実施形態に係る管理装置は、電流センサが検出したバッテリセルの電流を示すセンサ情報など、センサ情報が示すセンサの検出結果を用いて、バッテリセルが放電している状態であることを判定することも可能である。
【００４０】
本実施形態に係る管理装置は、例えば、センサ情報が示すバッテリセルの電圧と、電圧に係る基準値とを比較することによって、バッテリセルの放電状態を判定する。例えば、本実施形態に係る管理装置は、センサ情報が示すバッテリセルの電圧と、電圧に係る基準値とを比較し、センサ情報が示すバッテリセルの電圧が当該電圧に係る基準値以下の場合（または、当該バッテリセルの電圧が当該電圧に係る基準値より小さい場合）に、バッテリセルが過放電が発生する可能性がある状態であると判定する。また、本実施形態に係る管理装置は、例えば、センサ情報が示すバッテリセルの電圧と、電圧に係る基準値とを比較し、センサ情報が示すバッテリセルの電圧が当該電圧に係る基準値より大きい場合（または、当該バッテリセルの電圧が当該電圧に係る基準値以上の場合）バッテリセルが正常な状態であると判定する。
【００４１】
なお、本実施形態に係るバッテリセルの放電状態の判定方法は、上記に限られない。例えば、本実施形態に係る管理装置は、センサ情報が示すバッテリセルの電圧と、複数の電圧に係る基準値とを比較することによって、バッテリセルの放電状態を、上記に示す例のような２段階よりも細かく判定することも可能である。
【００４２】
バッテリセルの放電状態が判定されると、本実施形態に係る管理装置は、判定結果に応じて、バッテリセルの放電を制限させる。
【００４３】
ここで、本実施形態に係るバッテリセルの放電を制限させる処理としては、例えば、本実施形態に係る管理装置が、バッテリセルを含むバッテリ装置が備える保護回路を動作させるための制御信号を、後述する通信部に、電力線を介してバッテリ装置に対して送信させることが挙げられる。例えば、本実施形態に係る管理装置が、上記制御信号をバッテリ装置に対して送信させることによって、保護回路が動作して、バッテリセルの過度の放電が防止される。
【００４４】
（４）本実施形態に係る管理処理の第４の例：取得されたセンサ情報が、電圧センサが検出したバッテリセルの電圧を示す場合における、本実施形態に係る管理処理の第３の例
取得されたセンサ情報が、電圧センサが検出したバッテリセルの電圧を示す場合における本実施形態に係る管理処理は、上記（２）に示す第２の例に係る管理処理、上記（３）に示す第３の例に係る管理処理に限られない。
【００４５】
例えば、取得された本実施形態に係るバッテリセルに関する情報に、電圧センサが検出したバッテリセルの電圧を示すセンサ情報が含まれる場合、本実施形態に係る管理装置は、センサ情報が示すバッテリセルの電圧に基づいて、バッテリセルに蓄積されている電荷量を推定することも可能である。
【００４６】
本実施形態に係る管理装置は、例えば、センサ情報が示すバッテリセルの電圧と、当該電圧の検出に係る抵抗値とに基づいて、電流を算出し、算出された電流を積分することによって、バッテリセルに蓄積されている電荷量を推定する。ここで、本実施形態に係る管理装置は、例えば、予め設定された値を上記電圧の検出に係る抵抗値として用いてもよいし、センサ情報に上記電圧の検出に係る抵抗値を示す情報が含まれる場合には、センサ情報に含まれる電圧の検出に係る抵抗値を用いてもよい。
【００４７】
なお、本実施形態に係るバッテリセルに蓄積されている電荷量の推定方法は、上記に限られない。例えば、取得された本実施形態に係るバッテリセルに関する情報に、電流センサが検出したバッテリセルの電流を示すセンサ情報が含まれる場合には、本実施形態に係る管理装置は、センサ情報が示すバッテリセルの電流を積分することによって、バッテリセルに蓄積されている電荷量を推定することも可能である。
【００４８】
（５）本実施形態に係る管理処理の第５の例：センサの検出結果に基づくログ情報の記録に係る処理
本実施形態に係る管理装置は、取得された本実施形態に係るバッテリセルに関する情報に含まれるセンサ情報が示す、センサの検出結果に基づくログ情報（データ）を、電力線を介して、本実施形態に係る管理装置が備える通信部に、後述する本実施形態に係る通信装置に対して送信させる。そして、本実施形態に係る管理装置は、本実施形態に係る通信装置に、ログ情報を、バッテリセルに対応する記録媒体に記録させる。
【００４９】
本実施形態に係る管理装置は、例えば、ログ情報と、ログ情報を記録媒体に記録させる記録命令とを、電力線を介して本実施形態に係る通信部に送信させることによって、本実施形態に係る通信装置に、ログ情報を、バッテリセルに対応する記録媒体に記録させる。
【００５０】
ここで、本実施形態に係るログ情報としては、例えば、センサ情報が示すセンサの検出結果を示すデータが挙げられる。また、本実施形態に係るログ情報には、例えば、本実施形態に係る管理装置がセンサ情報を取得した時間が、センサの検出結果と対応付けて記録されていてもよい。
【００５１】
また、本実施形態に係るバッテリセルに対応する記録媒体としては、例えば、バッテリセルが備える記録媒体が挙げられるが、本実施形態に係るバッテリセルに対応する記録媒体は、上記に限られない。例えば、本実施形態に係るバッテリセルに対応する記録媒体は、本実施形態に係る通信装置が備える記録媒体であってもよい。
【００５２】
本実施形態に係るバッテリセルに対応する記録媒体に記録されたログ情報が参照されることによって、ログ情報が示すログにより、本実施形態に係るバッテリセルの状態（例えば、バッテリセルの寿命や、現在の性能、使用履歴など）を判定すること（または、推定すること）が可能となる。よって、本実施形態に係る管理装置が、ログ情報と、ログ情報を記録媒体に記録させる記録命令とを、電力線を介して本実施形態に係る通信装置に対して送信させることによって、例えば、バッテリセルを備えるバッテリ装置から取り出された、バッテリセルの価値（例えば、バッテリセルの寿命や、現在の性能、使用履歴などにより判定される価値）の判断が、可能となる。
【００５３】
（６）本実施形態に係る管理処理の第６の例
本実施形態に係る管理装置は、上記（１）に示す第１の例に係る管理処理〜上記（５）に示す第５の例に係る管理処理のうちの２以上の処理を、行ってもよい。
【００５４】
本実施形態に係る管理装置は、本実施形態に係る管理処理として、例えば上記（１）に示す第１の例に係る管理処理〜上記（６）に示す第６の例に係る管理処理に示すように、取得されたセンサ情報が示すセンサの検出結果に応じた処理を行う。
【００５５】
ここで、本実施形態に係るセンサ情報は、バッテリセルの状態を検出するセンサが検出した検出結果を示す。つまり、例えば上記（１）に示す第１の例に係る管理処理〜上記（６）に示す第６の例に係る管理処理に示すように、本実施形態に係る管理装置が、取得されたセンサ情報が示すセンサの検出結果に応じた処理を行う場合には、本実施形態に係る管理装置は、検出されたバッテリセルの状態に基づく処理を行うこととなる。
【００５６】
したがって、例えば上記（１）に示す第１の例に係る管理処理〜上記（６）に示す第６の例に係る管理処理に示すように、本実施形態に係る管理装置が、取得されたセンサ情報が示すセンサの検出結果に応じた処理を行うことによって、本実施形態に係る管理装置は、検出されたバッテリセルの状態に基づいて、バッテリセルを管理することができる。なお、本実施形態に係るセンサ情報が示すセンサの検出結果に応じた処理が、上記（１）に示す第１の例に係る管理処理〜上記（６）に示す第６の例に係る管理処理に示す例に限られないことは、言うまでもない。
【００５７】
なお、本実施形態に係る管理処理は、取得されたセンサ情報が示すセンサの検出結果に応じた処理に限られない。例えば、本実施形態に係る管理装置は、下記に示す（７）、（８）に示すような処理を、行うことも可能である。
【００５８】
（７）本実施形態に係る管理処理の第６の例：バッテリセルの認証に係る処理
取得されたバッテリセルに関する情報に、バッテリセルを示す識別情報が含まれる場合、本実施形態に係る管理処理は、識別情報に基づいて、バッテリセルを認証する。
【００５９】
ここで、本実施形態に係る識別情報とは、バッテリセルの識別に用いることが可能な情報（データ）である。本実施形態に係る識別情報としては、例えば、バッテリセル固有の識別番号を示すデータや、バッテリセルの種類を示すデータ（例えば、型番、最大定格などを示すデータ）などが挙げられる。なお、本実施形態に係る識別情報は、例えば、バッテリセルの製造データ（例えば、製造年月日や、製造者を示すデータ）など、バッテリセルの識別に用いることが可能な情報（データ）であれば、上記の例に限られない。
【００６０】
本実施形態に係る管理処理は、例えば、正常に認証することが可能なバッテリセルに対応する識別情報が記録されているデータベースに、取得された識別情報に対応する識別情報が記憶されているか否かに基づいて、バッテリセルを認証する。ここで、上記データベースは、本実施形態に係る管理装置が備える記憶部（後述する）などの記録媒体に記憶されていてもよいし、サーバなどの外部装置が備える記録媒体に記憶されていてもよい。上記データベースが外部装置が備える記録媒体に記憶されている場合には、本実施形態に係る管理処理は、例えば、外部装置と有線または無線で通信を行って当該外部装置から上記データベースを取得し、取得されたデータベースを用いてバッテリセルを認証する。
【００６１】
例えば上記のように、本実施形態に係る管理処理がバッテリセルを認証することによって、仮に、複数のバッテリセルを備えるバッテリ装置において、１または２以上のバッテリセルが交換された場合であっても、交換されたバッテリセルが不正なバッテリセルであるか否かを検出することが可能となる。したがって、本実施形態に係る管理処理がバッテリセルを認証することによって、例えば、バッテリ装置を販売するメーカーのビジネス性や、販売されるバッテリ装置の信頼性などを担保することができる。
【００６２】
（８）本実施形態に係る管理処理の第７の例： バッテリ装置の使用履歴の記録に係る処理
本実施形態に係る管理装置は、例えば、給電装置（例えば、充電器など）がバッテリセルを備えるバッテリ装置に給電した電力に関する給電情報（データ）や、当該バッテリ装置から電力を供給された受電装置（例えば、電子機器など）における電力の使用履歴に関する履歴情報（データ）を、電力線を介して、本実施形態に係る通信部に、後述する本実施形態に係る通信装置に対して送信させる。そして、本実施形態に係る管理装置は、例えば、本実施形態に係る通信装置に、送信させた給電情報や履歴情報を、バッテリセルに対応する記録媒体に記録させる。
【００６３】
本実施形態に係る管理装置は、例えば、給電情報や履歴情報と、給電情報や履歴情報を記録媒体に記録させる記録命令とを、電力線を介して本実施形態に係る通信部に送信させることによって、本実施形態に係る通信装置に、給電情報や履歴情報を、バッテリセルに対応する記録媒体に記録させる。
【００６４】
ここで、本実施形態に係る給電情報としては、例えば、給電装置がバッテリ装置に供給した電力量を示すデータや、給電装置がバッテリ装置に供給した供給時間を示すデータ、給電装置がバッテリ装置に供給した頻度を示すデータなどが挙げられる。本実施形態に係る管理装置は、例えば、給電装置と有線または無線で通信を行うことにより、給電情報を給電装置から取得する。なお、本実施形態に係る給電情報には、例えば、本実施形態に係る管理装置が、給電情報を取得した時間を示すデータが、さらに含まれていてもよい。
【００６５】
また、本実施形態に係る履歴情報としては、例えば、受電装置の電力消費量を示すデータや、受電装置が電力を消費した時間を示すデータなどが挙げられる。本実施形態に係る管理装置は、例えば、受電装置と有線または無線で通信を行うことにより、履歴情報を受電装置から取得する。なお、本実施形態に係る受電情報には、例えば、本実施形態に係る管理装置が、受電情報を取得した時間を示すデータが、さらに含まれていてもよい。
【００６６】
本実施形態に係るバッテリセルに対応する記録媒体に記録された給電情報や履歴情報が参照されることによって、給電情報や履歴情報が示す各種データにより、本実施形態に係るバッテリセルの状態（例えば、バッテリセルの寿命や、現在の性能、使用履歴など）を判定すること（または、推定すること）が可能となる。よって、本実施形態に係る管理装置が、例えば、給電情報や履歴情報と、給電情報や履歴情報を記録媒体に記録させる記録命令とを、電力線を介して本実施形態に係る通信装置に対して送信させることによって、例えば、バッテリセルを備えるバッテリ装置から取り出された、バッテリセルの価値（例えば、バッテリセルの寿命や、現在の性能、使用履歴などにより判定される価値）の判断が、可能となる。
【００６７】
（本実施形態に係る管理システム）
次に、上述した本実施形態に係る管理方法に係る処理を行うことが可能な、本実施形態に係る管理装置を含む、本実施形態に係る管理システムの構成の一例について説明する。以下では、本実施形態に係る管理システムの構成の一例を説明しつつ、本実施形態に係る管理システムを構成する各装置の構成の一例を説明する。
【００６８】
［１］第１の実施形態に係る管理システムの構成例
図１は、第１の実施形態に係る管理システム１０００の構成の一例を示す説明図である。
【００６９】
管理システム１０００は、例えば、管理装置１００と、通信装置２００と、バッテリセル３００と、温度センサ４００Ａ、電圧センサ４００Ｂ、および電流センサ４００Ｃ（以下、総称して「センサ４００」と示す場合がある。）と、フィルタ５００と、フィルタ６００とを有する。ここで、図１では、例えば、通信装置２００、バッテリセル３００、センサ４００、およびフィルタ６００が、バッテリ装置７００に該当する。
【００７０】
なお、本実施形態に係るバッテリ装置の構成は、図１に示す例に限られない。例えば、本実施形態に係るバッテリ装置は、管理装置１００、通信装置２００、バッテリセル３００、センサ４００、フィルタ５００、およびフィルタ６００を有していてもよい。本実施形態に係るバッテリ装置が、管理装置１００を有する構成である場合、例えば、本実施形態に係るバッテリ装置が備える、バッテリセル３００の充電、放電を制御する制御回路などが、管理装置１００の役目を果たす。
【００７１】
また、管理システム１０００において、例えば、管理装置１００、通信装置２００、およびバッテリセル３００それぞれは、電力線ＰＬと電気的に接続される。ここで、本実施形態に係る電力線ＰＬは、バッテリセルの充放電経路に該当する。電力線ＰＬには、例えば、直流電流や、後述する本実施形態に係る高周波信号よりも低い周波数（例えば、５０［Ｈｚ］や６０［Ｈｚ］）の交流電流が流れる。
【００７２】
［１−１］管理装置１００
管理装置１００は、例えば、通信部１０２と、制御部１０４とを備える。
【００７３】
また、管理装置１００は、例えば、ＲＯＭ（Read  Only  Memory。図示せず）や、ＲＡＭ（Random  Access  Memory。図示せず）、記憶部（図示せず）、ユーザが操作可能な操作部（図示せず）、様々な画面を表示画面に表示する表示部（図示せず）などを備えていてもよい。管理装置１００は、例えば、データの伝送路としてのバス（bus）により上記各構成要素間を接続する。
【００７４】
ここで、ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【００７５】
記憶部（図示せず）は、管理装置１００が備える記憶手段であり、例えば、取得されたバッテリセルに関する情報や、アプリケーションなど様々なデータを記憶する。ここで、記憶部（図示せず）としては、例えば、ハードディスク（Hard  Disk）などの磁気記録媒体や、フラッシュメモリ（flash  memory）などの不揮発性メモリ（nonvolatile  memory）などが挙げられる。また、記憶部（図示せず）は、管理装置１００から着脱可能であってもよい。
【００７６】
操作部（図示せず）は、管理装置１００が備える操作手段である。操作部（図示せず）としては、例えば、ボタン、方向キー、ジョグダイヤルなどの回転型セレクター、あるいは、これらの組み合わせなどが挙げられる。
【００７７】
表示部（図示せず）は、管理装置１００が備える表示手段である。表示部（図示せず）としては、例えば、液晶ディスプレイ（Liquid  Crystal  Display）や有機ＥＬディスプレイ（Organic  Electro-Luminescence  display。または、ＯＬＥＤディスプレイ（Organic  Light  Emitting  Diode  display）ともよばれる。）などが挙げられる。また、表示部（図示せず）は、例えばタッチスクリーンなど、表示とユーザ操作とが可能なデバイスであってもよい。
【００７８】
なお、管理装置１００は、管理装置１００の外部装置としての操作入力デバイス（例えば、キーボードやマウスなど）や表示デバイスなどの、外部デバイスと接続されていてもよい。
【００７９】
通信部１０２は、通信装置２００と電力線ＰＬを介して通信を行う。
【００８０】
［本実施形態に係る電力線を介した通信］
ここで、本実施形態に係る電力線ＰＬを介した通信（以下、「電力線通信」と示す。）について、より具体的に説明する。
【００８１】
通信部１０２（または、通信部１０２と同様の機能、構成を有する外部通信デバイス。以下、同様とする。）と通信装置２００との間では、例えば、ＮＦＣ（Near  Field  Communication）による通信技術やＲＦＩＤ（Radio  Frequency  IDentification）技術などの無線通信技術を、有線通信に適用することによって、電力線通信が行われる。ここで、本実施形態に係る電力線通信には、例えば、各装置の端子が接触して行われる通信（いわゆる、接触通信）と、各装置の端子が有線で結ばれて行われる通信とが含まれる。
【００８２】
通信部１０２は、例えば、高周波信号を生成する高周波信号生成部（後述する）を備え、高周波信号を外部通信装置へ送信する。つまり、通信部１０２は、例えば、いわゆるリーダ／ライタ機能を有する。
【００８３】
また、本実施形態に係る通信装置２００は、例えば、通信部１０２を備える管理装置１００などの外部装置から送信された信号に基づいて負荷変調を行うことにより、当該外部装置から送信された信号に対応する信号を送信して、当該外部装置と通信を行う。例えば、通信装置２００が、通信部１０２から送信された高周波信号を受信した場合には、受信した高周波信号から電力を得て駆動し、受信した高周波信号を処理した結果に基づいて負荷変調を行うことによって、高周波信号を送信する。
【００８４】
ここで、本実施形態に係る高周波信号としては、例えば、ＲＦＩＤで用いられる周波数の信号や、非接触通信で用いられる周波数の信号などが挙げられる。例えば、高周波信号の周波数としては、１３０〜１３５［ｋＨｚ］、１３．５６［ＭＨｚ］、５６［ＭＨｚ］、４３３［ＭＨｚ］、９１５．９〜９２８．１［ＭＨｚ］、２４４１．７５［ＭＨｚ］、２４４８．８７５［ＭＨｚ］が挙げられるが、本実施形態に係る高周波信号の周波数は、上記に限られない。
【００８５】
例えば、通信部１０２と通信装置２００とが、ぞれぞれ上記のような処理を行うことによって、通信部１０２と通信装置２００との間では、本実施形態に係る電力線通信が実現される。
【００８６】
ここで、ＮＦＣによる通信技術などの無線通信技術を用いた通信デバイスは、回路規模が既存のＰＬＣ（Power  Line  Communication。電力線搬送通信）モデムなどと比較して非常に小さいことから、例えばＩＣ（Integrated  Circuit）チップのようなサイズまで小型化が可能である。また、例えばＩＣカードやＩＣチップを搭載した携帯電話など、ＮＦＣによる通信技術などの無線通信技術を用いて通信を行うことが可能な装置の普及が進んでいることから、ＮＦＣによる通信技術やＲＦＩＤ技術などの無線通信技術を用いた通信デバイスは、既存のＰＬＣモデムと比較して安価である。
【００８７】
さらに、ＮＦＣによる通信技術やＲＦＩＤ技術などの無線通信技術を有線通信に適用することによって、通信装置２００は、電力線ＰＬを介して受信した高周波信号から電力を得て駆動し、負荷変調を行うことにより信号を送信することができる。つまり、通信部１０２と通信装置２００とを有する本実施形態に係る管理システムでは、通信装置２００は、通信を行うための別途の電源回路を備えなくとも、有線で通信を行うことが可能である。また、通信装置２００は、例えば、ユーザ操作に応じた信号（ユーザの指示を示す信号）が入力されなくとも、負荷変調を行うことにより信号を送信することができる。
【００８８】
したがって、ＮＦＣによる通信技術やＲＦＩＤ技術などの無線通信技術を用いることによって、例えば、既存のＰＬＣなどの有線通信が用いられる場合よりも、コストの低減や、通信デバイスのサイズの制限の緩和、消費電力の低減などを図ることが可能な、有線通信を実現することができる。
【００８９】
なお、本実施形態に係る電力線通信は、ＮＦＣによる通信技術やＲＦＩＤ技術などの無線通信技術を用いた通信に限られない。例えば、通信部１０２と通信装置２００との間では、ＰＬＣなどの電力線通信が行われてもよい。通信部１０２と外部通信装置との間でＰＬＣなどの電力線通信が行われる場合には、通信部１０２と外部通信装置とは、例えば、それぞれＰＬＣモデムなどの電力線通信に係るデバイスを備える。
【００９０】
以下では、通信部１０２と通信装置２００との間において、ＮＦＣによる通信技術やＲＦＩＤ技術などの無線通信技術を用いた電力線通信が行われる場合を例に挙げて、通信部１０２、および通信装置２００それぞれの構成の一例について説明する。
【００９１】
図２は、本実施形態に係る管理装置１００が備える通信部１０２の構成の一例を示す説明図である。ここで、図２では、制御部１０４とフィルタ５００とを併せて示している。
【００９２】
通信部１０２は、例えば、高周波信号生成部１５０と、復調部１５２とを備え、ＮＦＣなどにおけるリーダ／ライタ（または質問器）としての役目を果たす。また、通信部１０２は、例えば、暗号化回路（図示せず）や通信衝突防止（アンチコリジョン）回路などをさらに備えてもよい。
【００９３】
高周波信号生成部１５０は、例えば制御部１０４から伝達される高周波信号生成命令を受け、高周波信号生成命令に応じた高周波信号を生成する。また、高周波信号生成部１５０は、例えば制御部１０４から伝達される、高周波信号の送信停止を示す高周波信号送信停止命令を受け、高周波信号の生成を停止する。ここで、図２では、高周波信号生成部１５０として交流電源が示されているが、本実施形態に係る高周波信号生成部１５０は、上記に限られない。例えば、本実施形態に係る高周波信号生成部１５０は、ＡＳＫ（Amplitude  Shift  Keying）変調を行う変調回路（図示せず）と、変調回路の出力を増幅する増幅回路（図示せず）とを備えることができる。
【００９４】
ここで、高周波信号生成部１５０が生成する高周波信号としては、例えば、“本実施形態に係るバッテリセルに関する情報を送信させる送信命令を含む信号（バッテリセルに関する情報を送信させる信号の一例）”や、“本実施形態に係るログ情報と、ログ情報を記録媒体に記録させる記録命令とを含む信号”など、上述した管理方法に係る処理に係る各種命令や各種情報などを含む信号が挙げられる。なお、高周波信号生成部１５０が生成する高周波信号は、例えば、無変調の信号であってもよい。
【００９５】
復調部１５２は、例えば、高周波信号生成部１５０とフィルタ５００との間における電圧の振幅変化を包絡線検波し、検波した信号を２値化することによって、通信装置２００から負荷変調により送信される信号を復調する。そして、復調部１５２は、復調した信号を、制御部１０４へ伝達する。なお、復調部１５２における、通信装置２００から送信される信号の復調手段は、上記に限られず、例えば、復調部１５２は、高周波信号生成部１５０とフィルタ５００との間における電圧の位相変化を用いて、通信装置２００から送信される信号を復調することもできる。
【００９６】
ここで、本実施形態に係る通信装置２００から送信される信号としては、例えば、通信部１０２から送信された信号に対応する信号（高周波信号生成部１５０が生成した高周波信号に対応する信号）が挙げられる。例えば、通信部１０２から送信された信号が“本実施形態に係るバッテリセルに関する情報を送信させる送信命令を含む信号”である場合には、本実施形態に係る通信装置２００から送信される信号には、本実施形態に係るバッテリセルに関する情報が含まれる。また、例えば、通信部１０２から送信された信号が“本実施形態に係るログ情報と、ログ情報を記録媒体に記録させる記録命令とを含む信号”である場合には、本実施形態に係る通信装置２００から送信される信号には、通信装置２００におけるログ情報の記録に係る処理の処理結果を示す応答信号が含まれる。
【００９７】
本実施形態に係る通信部１０２は、例えば図２に示す構成によって、ＮＦＣなどにおけるリーダ／ライタとしての役目を果たし、電力線ＰＬを介して通信装置２００との間で通信を行う役目を果たすことができる。
【００９８】
なお、本実施形態に係る通信部１０２の構成は、図２に示す構成に限られない。図３は、本実施形態に係る管理装置１００が備える通信部１０２の他の例を示す説明図である。ここで、図３では、図２と同様に、制御部１０４とフィルタ５００とを併せて示している。
【００９９】
他の例に係る通信部１０２は、高周波信号生成部１５０と、復調部１５２と、第１高周波送受信部１５４と、第２高周波送受信部１５６とを備える。また、他の例に係る通信部１０２は、例えば、暗号化回路（図示せず）や通信衝突防止（アンチコリジョン）回路などをさらに備えてもよい。
【０１００】
高周波信号生成部１５０は、図２に示す高周波信号生成部１５０と同様に、高周波信号生成命令に応じた高周波信号を生成し、高周波信号送信停止命令に応じて高周波信号の生成を停止する。
【０１０１】
復調部１５２は、第１高周波送受信部１５４のアンテナ端における電圧の振幅変化を包絡線検波し、検波した信号を２値化することによって、通信装置２００から送信される信号を復調する。なお、復調部１５２における通信装置２００から送信される信号の復調手段は、上記に限られず、復調部１５２は、例えば、第１高周波送受信部１５４のアンテナ端における電圧の位相変化を用いて送信信号を復調することもできる。
【０１０２】
第１高周波送受信部１５４は、例えば、所定のインダクタンスをもつインダクタＬ１と所定の静電容量を有するキャパシタＣ１とを備え、共振回路を構成する。ここで、第１高周波送受信部１５６の共振周波数としては、例えば、１３．５６［ＭＨｚ］などの高周波信号の周波数が挙げられる。第１高周波送受信部１５４は、上記構成により、高周波信号生成部１５０が生成した高周波信号を送信し、また、第２高周波送受信部１５６から送信される、通信装置２００から送信された信号を受信することができる。つまり、第１高周波送受信部１５４は、通信部１０２内における第１の通信アンテナとしての役目を果たす。
【０１０３】
第２高周波送受信部１５６は、例えば、所定のインダクタンスをもつインダクタＬ２と所定の静電容量を有するキャパシタＣ２とを備え、共振回路を構成する。ここで、第２高周波送受信部１５６の共振周波数としては、例えば、１３．５６［ＭＨｚ］などの高周波信号の周波数が挙げられる。第２高周波送受信部１５６は、上記構成により、第１高周波送受信部１５４から送信された高周波信号を受信し、また、通信装置２００から送信された信号を送信することができる。つまり、第２高周波送受信部１５６は、通信部１０２内における第２の通信アンテナとしての役目を果たす。
【０１０４】
本実施形態に係る通信部１０２は、図３に示す構成であっても、図２に示す構成と同様に、ＮＦＣなどにおけるリーダ／ライタとしての役目を果たし、電力線ＰＬを介して通信装置２００との間で通信を行う役目を果たすことができる。
【０１０５】
なお、本実施形態に係る通信部１０２の構成は、図２や図３に示す構成に限られない。例えば、通信部１０２と通信装置２００との間でＰＬＣなどの電力線通信が行われる場合には、通信部１０２は、例えば、ＰＬＣモデムなどの電力線通信に係るデバイスで構成されていてもよい。
【０１０６】
再度図１を参照して、管理装置１００の構成の一例について説明する。制御部１０４は、例えばＭＰＵ（Micro  Processing  Unit）や各種処理回路などで構成され、管理装置１００全体を制御する役目を果たす。また、制御部１０４は、例えば、処理部１１０を備え、本実施形態に係る管理方法に係る処理を主導的に行う役目を果たす。
【０１０７】
処理部１１０は、本実施形態に係る管理処理を主導的に行う役目を果たし、通信装置２００から取得されるバッテリセルに関する情報に基づいて、バッテリセルの管理に関する処理を行う。
【０１０８】
より具体的には、処理部１１０は、例えば、上記（１）に示す第１の例に係る管理処理〜上記（６）に示す第６の例に係る管理処理に示すように、取得されたバッテリセルに関する情報に含まれるセンサ情報が示すセンサの検出結果に応じた処理を行う。また、処理部１１０は、例えば、上記（７）に示す第７の例に係る管理処理や、上記（８）に示す第８の例に係る管理処理を、行ってもよい。
【０１０９】
制御部１０４は、例えば、処理部１１０を備えることによって、本実施形態に係る管理方法に係る処理を主導的に行う。
【０１１０】
管理装置１００は、例えば図１に示す構成によって、本実施形態に係る管理方法に係る処理（例えば上記管理処理）を行う。
【０１１１】
したがって、管理装置１００は、例えば図１に示す構成によって、検出されたバッテリセルの状態に基づいて、バッテリセルを管理することができる。
【０１１２】
なお、本実施形態に係る管理装置の構成は、図１に示す構成に限られない。
【０１１３】
例えば、本実施形態に係る管理装置は、後述するフィルタ５００を備えていてもよい。
【０１１４】
また、例えば、本実施形態に係る管理装置が、通信部１０２と同様の機能、構成を有する外部通信デバイスを介して、通信装置２００と通信を行う場合には、本実施形態に係る管理装置は、通信部１０２を備えていなくてもよい。
【０１１５】
［１−２］通信装置２００
通信装置２００は、例えば、通信部２０２を備える。図１において、通信部２０２は、例えば、フィルタ６００を介して、バッテリセル３００の正極側の電力線および負極側の電力線に接続される。
【０１１６】
通信部２０２は、例えば、高周波信号によって、管理装置１００などの外部装置と電力線ＰＬを介して通信を行う。
【０１１７】
より具体的には、通信部２０２は、例えば、外部装置から送信された高周波信号を受信した場合には、当該高周波信号から電力を得て駆動して、受信した高周波信号に基づく処理を行う。そして、通信部２０２は、上記処理に応じた信号を、負荷変調によって高周波信号として送信する。
【０１１８】
また、通信部２０２は、例えば、高周波信号から得られる電力を、センサ４００（バッテリセル３００の状態を検出するセンサ）に供給する。そして、通信部２０２は、供給された電力で駆動したセンサ４００からセンサ情報を取得する。
【０１１９】
例えば、“本実施形態に係るバッテリセルに関する情報を送信させる送信命令を含む信号”を含む高周波信号が受信された場合には、通信部２０２は、当該送信命令に対応するバッテリセルに関する情報を、負荷変調によって電力線ＰＬに重畳させて送信する。ここで、通信部２０２が送信するバッテリセルに関する情報には、例えば、通信部２０２により供給される高周波信号から得られる電力で駆動したセンサ４００から取得された、センサ情報が含まれる。
【０１２０】
また、例えば、“本実施形態に係るログ情報と、ログ情報を記録媒体に記録させる記録命令とを含む信号”を含む高周波信号が受信された場合には、通信部２０２は、受信した記録命令に基づいて、受信したログ情報を、本実施形態に係るバッテリセルに対応する記録媒体に記録する。そして、通信部２０２は、ログ情報の記録に係る処理の処理結果を示す応答信号を、負荷変調によって電力線ＰＬに重畳させて送信する。つまり、通信部２０２は、例えば、ＮＦＣなどにおける応答器としての役目を果たす。
【０１２１】
図４は、本実施形態に係る通信装置２００が備える通信部２０２の構成の一例を示す説明図である。ここで、図４では、センサ４００とフィルタ６００とを併せて示している。また、図４では、通信部２０２が、受信された高調波信号を復調して処理し、負荷変調により送信信号を送信させるＩＣチップ２５０を備える構成を示している。なお、本実施形態に係る通信部２０２は、図４に示すＩＣチップ２５０を構成する各構成要素を、ＩＣチップの形態で備えていなくてもよい。
【０１２２】
ＩＣチップ２５０は、例えば、検波部２５２と、電源回路２５４と、復調部２５６と、ＡＤコンバータ２５８と、データ処理部２６０と、負荷変調部２６２とを備える。なお、図４では示していないが、ＩＣチップ２５０は、例えば、過電圧や過電流がデータ処理部２６０に印加されることを防止するための保護回路（図示せず）をさらに備えていてもよい。ここで、保護回路（図示せず）としては、例えば、ダイオードなどで構成されたクランプ回路が挙げられる。
【０１２３】
また、ＩＣチップ２５０は、例えば、ＲＯＭ２６４と、ＲＡＭ２６６と、内部メモリ２６８とを備える。データ処理部２６０と、ＲＯＭ２６４、ＲＡＭ２６６、内部メモリ２６８とは、例えば、データの伝送路としてのバス２７０によって接続される。
【０１２４】
検波部２５２は、フィルタ６００から伝達される高周波信号を整流する。ここで、検波部２５２は、例えば、ダイオードＤ１と、キャパシタＣ３とで構成される。
【０１２５】
電源回路２５４は、例えば、レギュレータなどを備え、高周波信号を平滑、定電圧化し、データ処理部２６０へ駆動電圧を出力する。また、電源回路２５４は、例えば、センサ４００に対して、駆動電圧を出力することによって、高周波信号から得られる電力を、センサ４００に供給する。ここで、電源回路２５４は、例えば、高周波信号の直流成分を駆動電圧として用いる。
【０１２６】
復調部２５６は、高周波信号を復調し、高周波信号に対応するデータ（例えば、ハイレベルとローレベルとの２値化されたデータ信号）を出力する。ここで、復調部２５６は、例えば、高周波信号の交流成分をデータとして出力する。
【０１２７】
ＡＤコンバータ２５８は、例えば、ＡＤコンバータ（Analog-to-Digital  Converter）を備え、センサ４００から伝達される検出結果に応じたアナログ信号を、デジタル信号に変換する。ここで、センサ４００から伝達される検出結果に応じたアナログ信号をＡＤコンバータ２５８が変換したデジタル信号は、本実施形態に係るセンサ情報（データ）に該当する。
【０１２８】
そして、ＡＤコンバータ２５８は、センサ４００から伝達されるセンサ情報（検出結果に応じたアナログ信号が変換されたデジタル信号）を、データ処理部２６０へ伝達する。
【０１２９】
データ処理部２６０は、例えば、電源回路２５４から出力される駆動電圧を電源として駆動し、復調部２５６において復調されたデータの処理を行う。ここで、データ処理部２６０は、例えば、ＭＰＵや各種処理回路などで構成される。
【０１３０】
また、データ処理部２６０は、外部装置への応答に係る負荷変調を制御する制御信号を処理結果に応じて選択的に生成する。そして、データ処理部２６０は、制御信号を負荷変調部２６２へと選択的に出力する。
【０１３１】
例えば、復調されたデータに、本実施形態に係るバッテリセルに関する情報を送信させる送信命令が含まれる場合には、データ処理部２６０は、当該送信命令に対応するセンサ情報を含むバッテリセルに関する情報など、当該送信命令に対応するバッテリセルに関する情報を含む信号を、送信させるための制御信号を負荷変調部２６２へ伝達する。
【０１３２】
また、例えば、復調されたデータに、本実施形態に係るログ情報と、ログ情報を記録媒体に記録させる記録命令とが含まれる場合には、データ処理部２６０は、受信した記録命令に基づいて、受信したログ情報を、内部メモリ２６８（本実施形態に係るバッテリセルに対応する記録媒体の一例）に記録する。そして、データ処理部２６０は、ログ情報の記録に係る処理の処理結果を示す信号を、送信させるための制御信号を負荷変調部２６２へ伝達する。
【０１３３】
また、データ処理部２６０は、例えば、復調部２５６において復調されたデータに含まれる命令に基づいて、内部メモリ２６８に記憶されたデータの読出し、更新などを行う。
【０１３４】
負荷変調部２６２は、例えば、負荷ＺとスイッチＳＷ１とを備え、データ処理部２６０から伝達される制御信号に応じて負荷Ｚを選択的に接続する（有効化する）ことによって負荷変調を行う。ここで、負荷Ｚは、例えば、所定の抵抗値を有する抵抗で構成されるが、負荷Ｚは、上記に限られない。また、スイッチＳＷ１は、例えば、ｐチャネル型のＭＯＳＦＥＴ（Metal  Oxide  Semiconductor  Field  Effect  Transistor）や、ｎチャネル型のＭＯＳＦＥＴで構成されるが、スイッチＳＷ１は、上記に限られない。
【０１３５】
ＲＯＭ２６４は、データ処理部２６０が使用するプログラムや演算パラメータなどの制御用データを記憶する。ＲＡＭ２６６は、データ処理部２６０により実行されるプログラムや、演算結果、実行状態などを一時的に記憶する。
【０１３６】
内部メモリ２６８は、ＩＣチップ２５０が備える記憶手段であり、例えば耐タンパ性を有し、データ処理部２６０によって、例えば、データの読出しや、データの新規書込み、データの更新が行われる。内部メモリ２６８には、例えば、識別情報や、ログ情報、アプリケーションなど様々なデータが記憶される。ここで、図４では、内部メモリ２６８が識別情報２７２とログ情報２７４とを記憶している例を示しているが、内部メモリ２６８に記憶されるデータは、上記に限られない。例えば、内部メモリ２６８には、センサ情報が記録されてもよい。
【０１３７】
ＩＣチップ２５０は、例えば図４に示す上記のような構成によって、フィルタ６００を介して伝達される高周波信号を処理し、負荷変調によって、フィルタ６００を介して、受信した高周波信号の処理結果に対応する信号を電力線ＰＬに重畳させて送信させる。なお、本実施形態に係るＩＣチップ２５０の構成が、図４に示す構成に限られないことは、言うまでもない。
【０１３８】
通信部２０２は、例えば図４に示す構成によって、受信した高周波信号から電力を得て駆動して受信した高周波信号が示す処理を行い、負荷変調によって、受信した高周波信号の処理結果に対応する信号を送信する。また、通信部２０２は、例えば図４に示す構成によって、高周波信号から得られる電力を、センサ４００に供給する。
【０１３９】
なお、本実施形態に係る通信部２０２の構成は、図４に示す構成に限られない。図５は、本実施形態に係る通信装置２００が備える通信部２０２の構成の他の例を示す説明図である。ここで、図５では、センサ４００とフィルタ６００とを併せて示している。なお、本実施形態に係る通信部２０２は、図５に示すＩＣチップ２５０を構成する各構成要素を、ＩＣチップの形態で備えていなくてもよい。
【０１４０】
他の例に係る通信部２０２は、第１高周波送受信部２８０と、第２高周波送受信部２８２と、ＩＣチップ２５０とを備える。
【０１４１】
第１高周波送受信部２８０は、例えば、所定のインダクタンスをもつインダクタＬ３と所定の静電容量を有するキャパシタＣ４とを備え、共振回路を構成する。ここで、第１高周波送受信部２８０の共振周波数としては、例えば、１３．５６［ＭＨｚ］などの高周波信号の周波数が挙げられる。第１高周波送受信部２８０は、上記構成により、フィルタ６００から伝達される高周波信号を送信し、また、第２高周波送受信部２８２から送信される信号を受信することができる。つまり、第１高周波送受信部２８０は、通信部２０２内における第１の通信アンテナとしての役目を果たす。
【０１４２】
第２高周波送受信部２８２は、例えば、所定のインダクタンスをもつインダクタＬ４と所定の静電容量を有するキャパシタＣ５とを備え、共振回路を構成する。ここで、第２高周波送受信部２８２の共振周波数としては、例えば、１３．５６［ＭＨｚ］などの高周波信号の周波数が挙げられる。第２高周波送受信部２８２は、上記構成により、第１高周波送受信部２８０から送信された高周波信号を受信し、また、ＩＣチップ２５０から伝達される信号を送信することができる。より具体的には、第２高周波送受信部２８２は、高周波信号の受信に応じて電磁誘導により誘起電圧を生じさせ、所定の共振周波数で誘起電圧を共振させた受信電圧をＩＣチップ２５０へと出力する。また、第２高周波送受信部２８２は、ＩＣチップ２５０が備える負荷変調部２６２において行われる負荷変調に応じた信号の送信を行う。つまり、第２高周波送受信部２８２は、通信部２０２内における第２の通信アンテナとしての役目を果たす。
【０１４３】
ＩＣチップ２５０は、第２高周波送受信部２８２から伝達される受信電圧に基づいて、図４に示すＩＣチップ２５０と同様に処理を行う。
【０１４４】
通信部２０２は、図５に示す構成であっても、図４に示す構成と同様に、受信した高周波信号から電力を得て駆動して受信した高周波信号が示す処理を行い、負荷変調によって、受信した高周波信号の処理結果に対応する信号を送信する。また、通信部２０２は、図５に示す構成であっても、図４に示す構成と同様に、高周波信号から得られる電力を、センサ４００に供給する。
【０１４５】
また、通信部２０２が図５に示す構成を有する場合には、例えば、ＮＦＣやＲＦＩＤに係るＩＣチップを流用することが可能であるので、実装がより容易となるという利点がある。
【０１４６】
なお、本実施形態に係る通信部２０２の構成は、図４や図５に示す構成に限られない。例えば、通信部２０２と、管理装置１００などの外部装置との間でＰＬＣなどの電力線通信が行われる場合には、通信部２０２は、例えば、ＰＬＣモデムなどの電力線通信に係るデバイスで構成されていてもよい。
【０１４７】
通信装置２００は、例えば図１に示す構成によって、電力線ＰＬを介して管理装置１００（外部装置の一例）から送信される高周波信号から電力を得て駆動して受信した高周波信号が示す処理を行い、バッテリセルに関する情報を、電力線ＰＬを介して負荷変調で管理装置１００へ送信する。また、通信装置２００は、例えば図１に示す構成によって、高周波信号から得られる電力を、センサ４００に供給して、供給した電力により駆動したセンサ４００から、センサ情報を取得する。
【０１４８】
よって、通信装置２００が、例えば図１に示す構成を有することによって、管理システム１０００を構成する管理装置１００は、本実施形態に係る管理方法に係る処理（例えば上記管理処理）を行うことができる。したがって、通信装置２００が、例えば図１に示す構成を有することによって、検出されたバッテリセルの状態に基づいて、バッテリセルを管理することが可能な、管理システムが実現される。
【０１４９】
なお、本実施形態に係る通信装置の構成は、図１に示す構成に限られない。
【０１５０】
例えば、本実施形態に係る通信装置は、図１に示すバッテリセル３００をさらに備えていてもよい。また、本実施形態に係る通信装置は、例えば、センサ４００をさらに備えていてもよい。また、本実施形態に係る通信装置は、例えば、フィルタ６００をさらに備える構成をとることも可能である。つまり、図１に示す管理システム１０００では、例えば、バッテリ装置７００全体が、本実施形態に係る通信装置であってもよいし、バッテリ装置７００の一部が、本実施形態に係る通信装置であってもよい。
【０１５１】
［１−３］バッテリセル３００
バッテリセル３００は、電力線ＰＬと電気的に接続される。バッテリセル３００は、例えば、電力線ＰＬを介して、電力線ＰＬと電気的に接続されている機器（図示せず）などに、電力を供給する。また、バッテリセル３００は、例えば、電力線ＰＬを介して、電力線ＰＬと電気的に接続されている機器（図示せず）から供給される電力に応じた電荷を蓄える。
【０１５２】
ここで、バッテリ３００としては、例えば、リチウムイオン二次電池やリチウムイオンポリマー二次電池などの二次電池が挙げられる。なお、本実施形態に係るバッテリ３００は、上記に限られない。例えば、バッテリ３００は、乾電池やリチウム電池などの一次電池などであってもよい。
【０１５３】
［センサ４００］
センサ４００は、バッテリセル３００の状態を検出する。また、センサ４００は、例えば、通信装置２００から供給される、通信装置２００が受信した高周波信号から得た電力によって、駆動する。そして、センサ４００は、例えば、検出結果に応じたアナログ信号を、通信装置２００へ送信する。
【０１５４】
ここで、図１では、管理システム１０００が、センサ４００として、バッテリセルの温度を検出可能な任意の構成の温度センサ４００Ａ、バッテリセルの電圧を検出可能な任意の構成の電圧センサ４００Ｂ、およびバッテリセルの電流を検出可能な任意の構成の電流センサ４００Ｃを有する構成を示している。なお、本実施形態に係る管理システムが有するセンサ４００は、図１に示す例に限られない。例えば、本実施形態に係る管理システムは、バッテリセル３００の状態を検出することが可能な、１または２以上のセンサを備えることが可能である。
【０１５５】
［フィルタ５００］
フィルタ５００は、電力線ＰＬと通信部１０２との間に接続され、電力線ＰＬから伝達される信号をフィルタリングする役目を果たす。より具体的には、フィルタ５００は、電力線ＰＬから伝達される信号のうち、少なくとも電力の周波数の信号を遮断し、高周波信号を遮断しない機能を有する。
【０１５６】
管理システム１０００では、フィルタ５００が設けられることによって、例えば、ノイズとなりうる電力の周波数の信号が通信部１０２へ伝達されない。したがって、フィルタ５００が設けられることによって、通信部１０２と通信装置２００（より具体的には、図１に示す例では、例えば、通信装置２００が備える通信部２０２）との間の通信の精度を向上させることができる。
【０１５７】
図６は、本実施形態に係るフィルタ５００の構成の一例を示す説明図である。ここで、図６では、管理装置１００が備える通信部１０２を併せて示している。
【０１５８】
フィルタ５００は、例えば、インダクタＬ６、Ｌ７と、キャパシタＣ６〜Ｃ８と、サージアブソーバＳＡ１〜ＳＡ３とで構成される。なお、本実施形態に係るフィルタ５００の構成が、図６に示す構成に限られないことは、言うまでもない。
【０１５９】
［フィルタ６００］
フィルタ６００は、電力線ＰＬと通信装置２００（より具体的には、通信装置２００が備える通信部２０２）との間に接続され、電力線ＰＬから伝達される信号をフィルタリングする役目を果たす。より具体的には、フィルタ６００は、電力線ＰＬから伝達される信号のうち、少なくとも電力の周波数の信号を遮断し、高周波信号を遮断しない機能を有する。
【０１６０】
管理システム１０００において、通信装置２００がフィルタ６００を介して、管理装置１００などの外部装置と通信を行うことによって、ノイズとなりうる電力の周波数の信号は通信装置２００に伝達されない。よって、管理システム１０００では、通信装置２００と通信装置２００（より具体的には、通信装置２００が備える通信部２０２）との間の通信の精度が向上する。
【０１６１】
ここで、フィルタ６００は、例えば、図６に示すフィルタ５００と同様の構成をとる。なお、本実施形態に係るフィルタ６００の構成が、図６に示すフィルタ５００と同様の構成に限られないことは、言うまでもない。
【０１６２】
第１の実施形態に係る管理システム１０００は、例えば図１に示す構成を有する。管理システム１０００では、管理装置１００は、電力線ＰＬを介して、通信装置２００から取得されるバッテリセルに関する情報に基づいて、バッテリセルの管理に関する処理を行う。より具体的には、管理装置１００は、例えば、上記（１）に示す第１の例に係る管理処理〜上記（６）に示す第６の例に係る管理処理に示すように、取得されたバッテリセルに関する情報に含まれるセンサ情報が示すセンサ４００の検出結果に応じた処理を行う。
【０１６３】
ここで、本実施形態に係るセンサ情報は、バッテリセル３００の状態を検出するセンサ４００が検出した検出結果を示す。つまり、例えば上記（１）に示す第１の例に係る管理処理〜上記（６）に示す第６の例に係る管理処理に示すように、本実施形態に係る管理装置が、取得されたセンサ情報が示すセンサの検出結果に応じた処理を行う場合には、本実施形態に係る管理装置は、検出されたバッテリセル３００の状態に基づく処理を行うこととなる。
【０１６４】
したがって、例えば図１に示す構成によって、検出されたバッテリセル３００の状態に基づいて、バッテリセル３００を管理することが可能な、管理システムが実現される。
【０１６５】
また、管理システム１０００では、本実施形態に係る電力線を介した通信によって、電力線ＰＬを介して、管理装置１００と通信装置２００との間で通信が行われる。
【０１６６】
ここで、管理装置１００が、センサ４００における検出結果を示すセンサ情報を取得する他の方法としては、例えば、センサ４００（または、センサ４００と接続された通信装置２００）と管理装置１００とを、ハーネスなどによって有線で接続して、管理装置１００とセンサ４００との間で通信を行う方法が考えられる。
【０１６７】
しかしながら、上記センサ情報を取得する他の方法が用いられる場合には、通信のための配線が別途必要となる。よって、上記センサ情報を取得する他の方法が用いられる場合には、例えば、本実施形態に係るバッテリ装置が備えるバッテリセルの数が増える程（複数のバッテリセルを有する管理システムについては、後述する第３の実施形態に係る管理システムや、後述する第４の実施形態に係る管理システムで示す。）、より多くの配線が必要となる。したがって、上記センサ情報を取得する他の方法が用いられる場合には、例えば、“本実施形態に係るバッテリ装置の組み立てが複雑となる”、“本実施形態に係るバッテリ装置の重量が大きくなる”、“本実施形態に係るバッテリ装置のコストが高くなる”などの望ましくない事態が生じうる。
【０１６８】
また、管理装置１００が、センサ４００における検出結果を示すセンサ情報を取得するための、さらなる他の方法としては、例えば、管理装置１００が、センサ４００（または、センサ４００と接続された通信装置２００）と無線通信を行う方法も考えられる。
【０１６９】
しかしながら、上記センサ情報を取得するためのさらなる他の方法が用いられる場合には、例えば、本実施形態に係るバッテリ装置が、無線通信を阻害する金属で囲まれているときには、通信を行うことができないので、管理装置１００は、センサ情報を含むバッテリ関する情報を取得することができない。よって、上記センサ情報を取得するためのさらなる他の方法が用いられる場合には、例えば、“管理装置１００が、本実施形態に係る管理方法に係る処理を行うことができない”などの望ましくない事態が生じうる。
【０１７０】
これに対して、管理システム１０００では、本実施形態に係る電力線を介した通信によって、電力線ＰＬを介して、管理装置１００と通信装置２００との間で通信が行われるので、上記センサ情報を取得する他の方法や、上記センサ情報を取得するためのさらなる他の方法が用いられる場合のような、望ましくない事態の発生は防止される。
【０１７１】
また、本実施形態に係る電力線を介した通信として、ＮＦＣによる通信技術やＲＦＩＤ技術などの無線通信技術を用いた電力線通信が行われる場合には、通信装置２００は、受信した高周波信号から得られた電力を用いて、駆動することが可能である。よって、本実施形態に係る電力線を介した通信として、ＮＦＣによる通信技術やＲＦＩＤ技術などの無線通信技術を用いた電力線通信が行われる場合には、通信装置２００の駆動に、バッテリセル３００に蓄えられた電力を用いる必要はない。
【０１７２】
また、管理システム１０００では、センサ４００は、例えば、通信装置２００から供給される、通信装置２００が受信した高周波信号から得た電力によって、駆動する。そして、センサ４００は、例えば、検出結果に応じたアナログ信号を、通信装置２００へ送信する。
【０１７３】
ここで、センサ４００を駆動させる他の方法としては、例えば、バッテリセル３００から電力を得て駆動する方法が考えられる。
【０１７４】
しかしながら、上記センサ４００を駆動させる他の方法が用いられる場合には、バッテリセル３００に蓄えられた電力が用いられるので、センサ４００による被測定物であるバッテリセル３００の状態に影響を与えてしまう可能性がある。
【０１７５】
また、上記センサ４００を駆動させる他の方法が用いられる場合には、例えば、本実施形態に係るバッテリ装置が備えるバッテリセルの数が増える程、各バッテリセルの状態を検出するセンサ４００の消費電力のバラツキなどによって、本実施形態に係るバッテリ装置が備えるバッテリセルの電圧バランスを崩してしまう恐れがある。ここで、本実施形態に係るバッテリ装置が備えるバッテリセルの電圧バランスが崩れた場合には、例えば“本実施形態に係るバッテリ装置の効率的な運用が妨げられる”などの望ましくない事態が生じうる。
【０１７６】
また、上記センサ４００を駆動させる他の方法が用いられる場合には、例えば、本実施形態に係るバッテリ装置が用いられる環境が低温環境であった場合、バッテリセル３００の電圧が低下することによって、センサ４００を動作させることができないなどの望ましくない事態が生じうる。
【０１７７】
これに対して、管理システム１０００では、センサ４００は、例えば、通信装置２００から供給される、通信装置２００が受信した高周波信号から得た電力によって、駆動するので、上記センサ４００を駆動させる他の方法が用いられる場合のような、望ましくない事態の発生は防止される。
【０１７８】
なお、通信装置２００が、バッテリセル３００から電力を得て駆動する場合においても、上記センサ４００を駆動させる他の方法が用いられる場合と同様に、望ましくない事態が生じうる。しかしながら、本実施形態に係る電力線を介した通信として、ＮＦＣによる通信技術やＲＦＩＤ技術などの無線通信技術を用いた電力線通信が行われる場合には、上記センサ４００を駆動させる他の方法が用いられる場合のような、望ましくない事態の発生は防止される。
【０１７９】
また、例えば、センサ４００が、通信装置２００から供給される、通信装置２００が受信した高周波信号から得た電力により駆動することによって、管理システム１０００では、センサ４００が設けられている場所においてセンサ４００を駆動させるための電源を設ける必要がない。よって、管理システム１０００では、被測定物であるバッテリセル３００に影響を与えず、またバッテリセル３００の状態に依存せずに、バッテリセル３００の状態の検出と管理とを行うことができる。したがって、例えば、管理システム１０００が用いられることによって、例えば、電力線網を介して、正確で設置が容易な、より優れたセンサネットワークを構築することができる。
【０１８０】
＜第１の実施形態に係る管理システムの変形例＞
なお、第１の実施形態に係る管理システムの構成は、図１に示す構成に限られない。
【０１８１】
例えば、第１の実施形態に係る管理システムは、図１に示す温度センサ４００Ａ、電圧センサ４００Ｂ、および電流センサ４００Ｃのうちの、１または２のセンサを備えない構成をとることも可能である。また、第１の実施形態に係る管理システムは、例えば、バッテリセル３００の状態を検出することが可能な他のセンサをさらに備えていてもよい。
【０１８２】
また、第１の実施形態に係る管理システムは、図１に示すフィルタ５００、フィルタ６００の一方、または双方を備えない構成をとることも可能である。
【０１８３】
また、第１の実施形態に係る管理システムが有するバッテリ装置７００は、例えば、バッテリセル３００に対応する記録媒体をさらに備えていてもよい。バッテリセル３００に対応する記録媒体としては、例えば、フラッシュメモリなどの不揮発性メモリなどが挙げられる。第１の実施形態に係る管理システムが有するバッテリ装置７００が、バッテリセル３００に対応する記録媒体をさらに備える場合、通信装置２００は、例えば、ログ情報などを、当該バッテリセル３００に対応する記録媒体に記録する。
【０１８４】
また、第１の実施形態に係る管理システムが有するバッテリ装置７００は、例えば、バッテリセル３００を保護するための保護回路や、バッテリセル３００の充電、放電を制御する制御回路をさらに備えていてもよい。
【０１８５】
［２］第２の実施形態に係る管理システムの構成例
なお、本実施形態に係る管理システムの構成は、図１に示すような第１の実施形態に係る構成に限られない。
【０１８６】
図７は、第２の実施形態に係る管理システム２０００の構成の一例を示す説明図である。管理システム２０００は、例えば、管理装置１００と、通信装置２００と、バッテリセル３００と、温度センサ４００Ａ、電圧センサ４００Ｂ、および電流センサ４００Ｃと、フィルタ５００と、フィルタ６００とを有する。ここで、図７では、例えば、通信装置２００、バッテリセル３００、センサ４００、およびフィルタ６００が、バッテリ装置７００に該当する。
【０１８７】
図７に示す管理システム２０００の構成と、図１に示す管理システム１０００の構成とを比較すると、通信装置２００（より具体的には、通信装置２００が備える通信部２０２）と電力線との接続関係が異なる。具体的には、管理システム１０００では、通信装置２００が備える通信部２０２が、バッテリセル３００の正極側の電力線および負極側の電力線と電気的に接続されているのに対して、管理システム２０００では、通信装置２００が備える通信部２０２が、バッテリセル３００の正極側の電力線と電気的に接続されている。
【０１８８】
また、管理システム２０００を構成するフィルタ６００は、例えば、インダクタＬ７とインダクタＬ８とで構成される。なお、管理システム２０００を構成するフィルタ６００は、図１に示すフィルタ６００と同様の構成を有していてもよい。
【０１８９】
例えば、図７に示す構成であっても、管理システム２０００を構成する管理装置１００と通信装置２００とは、本実施形態に係る電力線を介した通信によって、電力線を介して通信を行うことが可能である。また、管理システム２０００を構成する各構成要素は、例えば、図１に示す管理システム１０００を構成する各構成要素と同様の構成、機能を有する。
【０１９０】
したがって、図７に示す管理システム２０００は、図１に示す第１の実施形態に係る管理システム１０００と同様の効果を奏することができる。
【０１９１】
＜第２の実施形態に係る管理システムの変形例＞
なお、第２の実施形態に係る管理システムの構成は、図７に示す構成に限られない。
【０１９２】
例えば、第２の実施形態に係る管理システムを構成する通信装置２００が備える通信部２０２は、バッテリセル３００の負極側の電力線と電気的に接続されていてもよい。
【０１９３】
第２の実施形態の変形例に係る構成であっても、第２の実施形態の変形例に係る管理システムを構成する管理装置１００と通信装置２００とは、本実施形態に係る電力線を介した通信によって、電力線を介して通信を行うことが可能である。また、第２の実施形態の変形例に係る管理システムを構成する各構成要素は、例えば、図１に示す管理システム１０００を構成する各構成要素と同様の構成、機能を有する。
【０１９４】
したがって、第２の実施形態の変形例に係る管理システムは、図１に示す第１の実施形態に係る管理システム１０００と同様の効果を奏することができる。
【０１９５】
また、第２の実施形態に係る管理システムは、上記第１の実施形態の変形例に係る管理システムと同様の構成をとることも可能である。
【０１９６】
［３］第３の実施形態に係る管理システムの構成例
上記第１の実施形態に係る管理システム、および上記第２の実施形態に係る管理システムでは、本実施形態に係る管理システムが、１つのバッテリセル３００を有する構成を示した。しかしながら、本実施形態に係る管理システムの構成は、１つのバッテリセル３００を有する構成に限られず、複数のバッテリセル３００を有する構成であってもよい。
【０１９７】
図８は、第３の実施形態に係る管理システム３０００の構成の一例を示す説明図であり、複数のバッテリセル３００を有する管理システムの一例を示している。
【０１９８】
管理システム３０００は、例えば、管理装置１００と、フィルタ５００と、バッテリパック８００とを有する。バッテリパック８００は、バッテリ装置７００Ａ、バッテリ装置７００Ｂ、バッテリ装置７００Ｃ、…で構成され、バッテリ装置７００Ａ、バッテリ装置７００Ｂ、バッテリ装置７００Ｃ、…は、電力線ＰＬと直列に接続される。ここで、バッテリパック８００は、本実施形態に係るバッテリ装置と捉えることも可能である。
【０１９９】
バッテリ装置７００Ａ、バッテリ装置７００Ｂ、バッテリ装置７００Ｃ、…それぞれは、例えば、第１の実施形態に係るバッテリ装置７００（第１の実施形態の変形例に係る構成も含む。）や、第２の実施形態に係るバッテリ装置７００（第２の実施形態の変形例に係る構成も含む。）と同様の構成を有する。つまり、図８に示すバッテリパック８００は、電力線ＰＬと直列に接続された、複数のバッテリセル３００を有する。
【０２００】
例えば図８に示す構成であっても、管理装置１００と、バッテリ装置７００Ａ、バッテリ装置７００Ｂ、バッテリ装置７００Ｃ、…それぞれを構成する通信装置２００とは、本実施形態に係る電力線を介した通信によって、電力線ＰＬを介して通信を行うことができる。また、例えば、通信装置２００が通信衝突防止（アンチコリジョン）回路を備える場合には、バッテリパック８００に含まれる複数の通信装置２００それぞれは、管理装置１００との間で、より安定した通信を行うことが可能である。
【０２０１】
また、管理システム３０００を構成する管理装置１００と、バッテリ装置７００Ａ、バッテリ装置７００Ｂ、バッテリ装置７００Ｃ、…それぞれの構成要素は、例えば、図１に示す管理システム１０００を構成する各構成要素や、図７に示す管理システム２０００を構成する各構成要素と、同様の構成、機能を有する。
【０２０２】
したがって、図８に示す管理システム３０００は、図１に示す第１の実施形態に係る管理システム１０００と同様の効果を奏することができる。
【０２０３】
＜第３の実施形態に係る管理システムの変形例＞
第３の実施形態に係る管理システムは、例えば、上記第１の実施形態の変形例に係る管理システムや上記第２の実施形態の変形例に係る管理システムと同様の構成をとることも可能である。
【０２０４】
また、第３の実施形態に係る管理システムが、センサ４００として電流センサ４００Ｃを備える場合には、例えば、バッテリ装置７００Ａ、バッテリ装置７００Ｂ、バッテリ装置７００Ｃ、…それぞれが、電流センサ４００Ｃを備えていてもよいし、バッテリパック８００に対応する１つの電流センサ４００Ｃを有する構成であってもよい。第３の実施形態に係る管理システムが、バッテリパック８００に対応する１つの電流センサ４００Ｃを有する構成である場合、電流センサ４００Ｃは、例えば、直列に接続されたバッテリセル３００のうちの、最終段のバッテリセルの負極側の電力線上に設けられる。
【０２０５】
［４］第４の実施形態に係る管理システムの構成例
複数のバッテリセル３００を有する本実施形態に係る管理システムの構成は、例えば図８に示す第３の実施形態に係る管理システム３０００の構成（第３の実施形態の変形例に係る管理システムの構成も含む。）に限られない。
【０２０６】
図９は、第４の実施形態に係る管理システム４０００の構成の一例を示す説明図であり、複数のバッテリセル３００を有する管理システムの他の例を示している。
【０２０７】
管理システム４０００は、例えば、管理装置１００と、フィルタ５００と、バッテリパック８００とを有する。バッテリパック８００は、バッテリ装置７００Ａ、バッテリ装置７００Ｂ、バッテリ装置７００Ｃ、…で構成され、バッテリ装置７００Ａ、バッテリ装置７００Ｂ、バッテリ装置７００Ｃ、…は、電力線ＰＬと並列に接続される。ここで、バッテリパック８００は、本実施形態に係るバッテリ装置と捉えることも可能である。
【０２０８】
バッテリ装置７００Ａ、バッテリ装置７００Ｂ、バッテリ装置７００Ｃ、…それぞれは、例えば、第１の実施形態に係るバッテリ装置７００（第１の実施形態の変形例に係る構成も含む。）や、第２の実施形態に係るバッテリ装置７００（第２の実施形態の変形例に係る構成も含む。）と同様の構成を有する。つまり、図９に示すバッテリパック８００は、電力線ＰＬと並列に接続された、複数のバッテリセル３００を有する。
【０２０９】
例えば図９に示す構成であっても、管理装置１００と、バッテリ装置７００Ａ、バッテリ装置７００Ｂ、バッテリ装置７００Ｃ、…それぞれを構成する通信装置２００とは、本実施形態に係る電力線を介した通信によって、電力線ＰＬを介して通信を行うことができる。また、例えば、通信装置２００が通信衝突防止（アンチコリジョン）回路を備える場合には、バッテリパック８００に含まれる複数の通信装置２００それぞれは、管理装置１００との間で、より安定した通信を行うことが可能である。
【０２１０】
また、管理システム４０００を構成する管理装置１００と、バッテリ装置７００Ａ、バッテリ装置７００Ｂ、バッテリ装置７００Ｃ、…それぞれの構成要素は、例えば、図１に示す管理システム１０００を構成する各構成要素や、図７に示す管理システム２０００を構成する各構成要素と、同様の構成、機能を有する。
【０２１１】
したがって、図９に示す管理システム４０００は、図１に示す第１の実施形態に係る管理システム１０００と同様の効果を奏することができる。
【０２１２】
＜第４の実施形態に係る管理システムの変形例＞
第３の実施形態に係る管理システムは、例えば、上記第１の実施形態の変形例に係る管理システムや上記第２の実施形態の変形例に係る管理システムと同様の構成をとることも可能である。
【０２１３】
また、第４の実施形態に係る管理システムが、センサ４００として電流センサ４００Ｃを備える場合には、例えば、バッテリ装置７００Ａ、バッテリ装置７００Ｂ、バッテリ装置７００Ｃ、…それぞれが、電流センサ４００Ｃを備えていてもよいし、バッテリパック８００に対応する１つの電流センサ４００Ｃを有する構成であってもよい。第４の実施形態に係る管理システムが、バッテリパック８００に対応する１つの電流センサ４００Ｃを有する構成である場合、電流センサ４００Ｃは、例えば、並列に接続された各バッテリセル３００の負極側の電力線上に設けられる。
【０２１４】
以上、本実施形態として管理システムを挙げて説明したが、本実施形態は、かかる形態に限られない。本実施形態は、例えば、太陽電池パネルの管理システムや、電力線網を介したセンサネットワークシステム、電気自動車やハイブリット自動車などのバッテリセルを備え、バッテリセルに蓄えられた電力で駆動することが可能な移動体（以下、単に「本実施形態に係る移動体」と示す。）に係る管理システムなど、様々なシステムに適用することが可能である。
【０２１５】
例えば、本実施形態として管理システムが、太陽電池パネルの管理システムに適用される場合には、個々の太陽電池パネルの状態をセンサによりセンシングし、電力線経由で取得されたセンサデータ（センサ情報）を用いて、太陽電池パネルの管理や、太陽電池パネルのメンテナンスを行うことが可能となる。
【０２１６】
また、例えば、本実施形態として管理システムが、電力線網を介したセンサーネットワークシステムに適用される場合には、気温や湿度、照度などをセンサセンサによりセンシングし、電力線経由で取得されたセンサデータ（センサ情報）を用いて、検出された気温や湿度、照度などを効率的に収集、管理することが可能となる。
【０２１７】
なお、本実施形態として管理システムが、電力線網を介したセンサーネットワークシステムに適用される場合、本実施形態として管理システムが有するセンサは、例えば、バッテリセルの状態を検出するセンサでなくてもよい。つまり、本実施形態として管理システムが、電力線網を介したセンサーネットワークシステムに適用される場合、本実施形態として管理システムは、例えば、バッテリセルを有さない構成をとることが可能である。
【０２１８】
また、例えば、本実施形態として管理システムが、本実施形態に係る移動体に係る管理システムに適用される場合、本実施形態に係る移動体の構成要素が、本実施形態として管理システムの役目を果たす。
【０２１９】
本実施形態に係る移動体の構成要素が、本実施形態として管理システムの役目を果たす場合には、例えば、本実施形態に係る移動体が備えるバッテリ装置が、図１や図７に示すバッテリ装置７００や、図８、図９に示すバッテリパック８００の構成を有する。また、本実施形態に係る移動体の構成要素が、本実施形態として管理システムの役目を果たす場合には、例えば、本実施形態に係る移動体が備える、ＭＰＵなどで構成される制御回路が、管理装置１００の構成を有する。
【０２２０】
なお、本実施形態に係る移動体の構成要素が、本実施形態として管理システムの役目を果たす場合における適用例は、上記に示す例に限られない。例えば、本実施形態に係る移動体の構成要素が、本実施形態として管理システムの役目を果たす場合、本実施形態に係る移動体が備えるバッテリ装置が備える、バッテリセル３００の充電、放電を制御する制御回路が、管理装置１００の役目を果たすことも可能である。上記制御回路が、管理装置１００の役目を果たす場合、本実施形態に係るバッテリ装置が、本実施形態として管理システムの役目を果たすこととなる。
【０２２１】
また、本実施形態として管理システムが、本実施形態に係る移動体に係る管理システムに適用される場合の例は、本実施形態に係る移動体の構成要素が、本実施形態として管理システムの役目を果たす例に限られない。
【０２２２】
例えば、本実施形態として管理システムが、本実施形態に係る移動体に係る管理システムに適用される場合、本実施形態に係る移動体と本実施形態に係る移動体の外部装置とが、本実施形態として管理システムの役目を果たしてもよい。本実施形態に係る移動体と本実施形態に係る移動体の外部装置とが、本実施形態として管理システムの役目を果たす場合の例としては、例えば、図１や図７に示すバッテリ装置７００や、図８、図９に示すバッテリパック８００が、本実施形態に係る移動体に設けられ、管理装置１００が、本実施形態に係る移動体の外部装置に設けられる例が挙げられる。ここで、本実施形態に係る移動体の外部装置としては、例えば、本実施形態に係る移動体に電力を供給する給電装置や、本実施形態に係る移動体から電力を供給される受電装置が挙げられる。
【０２２３】
また、上記では、本実施形態に係る管理システムの構成要素として管理装置を挙げて説明したが、本実施形態は、かかる形態に限られない。本実施形態は、例えば、ＰＣ（Personal  Computer）やサーバなどのコンピュータや、本実施形態に係る移動体、電力線を介して電力を他の装置に供給することが可能な給電装置（例えば、充電スタンドに係る装置や、充電器など）、電力線を介して電力を他の装置から供給される受電装置（例えば、電子機器など）など、様々な機器や装置に適用することができる。また、本実施形態は、例えば、上記のような機器や装置に組み込むことが可能な、処理ＩＣに適用することもできる。
【０２２４】
また、上記では、本実施形態に係る管理システムの構成要素として通信装置を挙げて説明したが、本実施形態は、かかる形態に限られない。本実施形態は、例えば、バッテリセルを備えるバッテリ装置（バッテリパックも含む。）や、センサが設けられる構造物（例えば、建物や道路など）、本実施形態に係る移動体など、様々な機器や装置、施設、インフラストラクチャーに適用することができる。
【０２２５】
（本実施形態に係るプログラム）
コンピュータを、本実施形態に係る管理装置として機能させるためのプログラム（例えば、上記管理処理など、本実施形態に係る管理方法に係る処理を実行することが可能なプログラム）が、コンピュータにおいて実行されることによって、検出されたバッテリセルの状態に基づいて、バッテリセルを管理することができる。また、コンピュータを、本実施形態に係る管理装置として機能させるためのプログラムが、コンピュータにおいて実行されることによって、上述した本実施形態に係る管理システムが奏する効果を奏することが可能な、管理システムが実現される。
【０２２６】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０２２７】
例えば、上記では、コンピュータを、本実施形態に係る管理装置として機能させるためのプログラム（コンピュータプログラム）が提供されることを示したが、本実施形態は、さらに、上記プログラムを記憶させた記録媒体も併せて提供することができる。
【０２２８】
上述した構成は、本実施形態の一例を示すものであり、当然に、本開示の技術的範囲に属するものである。
【０２２９】
なお、以下のような構成も本開示の技術的範囲に属する。
（１）
バッテリセルに接続されている電力線を介して、前記電力線と電気的に接続されている通信装置から取得される、前記バッテリセルに関する情報に基づいて、前記バッテリセルの管理に関する処理を行う処理部を備え、
前記バッテリセルに関する情報は、前記バッテリセルの状態を検出するセンサが検出した検出結果を示すセンサ情報を含み、
前記処理部は、前記センサの検出結果に応じた処理を行う、管理装置。
（２）
前記センサ情報は、温度センサが検出した前記バッテリセルの温度を示し、
前記処理部は、
前記センサ情報が示す前記バッテリセルの温度に基づいて、前記バッテリセルの状態を判定し、
前記バッテリセルが正常でないと判定された場合に、前記バッテリセルの使用を制限させる、（１）に記載の管理装置。
（３）
前記バッテリセルに関する情報は、電圧センサが検出した前記バッテリセルの電圧を示す前記センサ情報を含み、
前記バッテリセルが充電されている状態であると判定された場合、
前記処理部は、前記センサ情報が示す前記バッテリセルの電圧に基づく、前記バッテリセルに対する充電制御を行う、（１）、または（２）に記載の管理装置。
（４）
前記バッテリセルに関する情報は、電圧センサが検出した前記バッテリセルの電圧を示す前記センサ情報を含み、
前記バッテリセルが放電している状態であると判定された場合、
前記処理部は、前記センサ情報が示す前記バッテリセルの電圧に基づいて、前記バッテリセルの放電状態を判定し、
判定結果に応じて、前記バッテリセルの放電を制限させる、（１）〜（３）のいずれか１つに記載の管理装置。
（５）
前記センサ情報は、電圧センサが検出した前記バッテリセルの電圧を示し、
前記処理部は、前記センサ情報が示す前記バッテリセルの電圧に基づいて、前記バッテリセルに蓄積されている電荷量を推定する、（１）〜（４）のいずれか１つに記載の管理装置。
（６）
前記処理部は、前記センサ情報が示す前記センサの検出結果に基づくログ情報と、前記ログ情報を記録媒体に記録させる記録命令とを、前記電力線を介して前記通信装置に対して送信させる、（１）〜（５）のいずれか１つに記載の管理装置。
（７）
前記通信装置と前記電力線を介して通信を行う通信部をさらに備え、
前記処理部は、前記通信部に前記通信装置と通信を行わせることによって、前記通信装置から前記バッテリセルに関する情報を取得する、（１）〜（６）のいずれか１つに記載の管理装置。
（８）
前記通信部は、
前記通信装置に対して前記バッテリセルに関する情報を送信させる信号を送信し、
前記通信装置において受信された前記信号に基づいて負荷変調が行われることによって送信される、前記バッテリセルに関する情報を、受信する、（７）に記載の管理装置。
（９）
前記通信部は、
前記電力線と接続され、少なくとも前記電力線を流れる電力の周波数の信号を遮断し、前記電力の周波数よりも高い周波数の高周波信号を遮断しないフィルタと接続され、
前記高周波信号を前記フィルタおよび前記電力線を介して送信して、前記通信装置と通信を行う、（７）、または（８）に記載の管理装置。
（１０）
バッテリセルに接続されている電力線と電気的に接続され、
前記電力線を介して外部装置から送信される、前記電力線を流れる電力の周波数よりも高い周波数の高周波信号から電力を得て駆動し、
前記高周波信号から得られる電力を前記バッテリセルの状態を検出するセンサに供給し、
供給された前記電力で駆動した前記センサから得られた、前記センサが検出した検出結果を示すセンサ情報を含む、前記バッテリセルに関する情報を、前記電力線を介して負荷変調で前記外部装置へ送信する、通信部を備える、通信装置。
（１１）
前記通信部は、前記バッテリセルの正極側の電力線および負極側の電力線に接続される、（１０）に記載の通信装置。
（１２）
前記通信部は、前記バッテリセルの正極側の電力線、または、負極側の電力線に接続される、（１０）に記載の通信装置。
（１３）
前記バッテリセルをさらに備える、（１０）〜（１２）のいずれか１つに記載の通信装置。
（１４）
前記センサをさらに備える、（１０）〜（１３）のいずれか１つに記載の通信装置。
（１５）
バッテリセルに接続されている電力線を介して、前記電力線と電気的に接続されている通信装置から取得される、前記バッテリセルに関する情報に基づいて、前記バッテリセルの管理に関する処理を行うステップを有し、
前記バッテリセルに関する情報は、前記バッテリセルの状態を検出するセンサが検出した検出結果を示すセンサ情報を含み、
前記バッテリセルの管理に関する処理を行うステップでは、前記センサの検出結果に応じた処理が行われる、管理方法。
（１６）
バッテリセルに接続されている電力線と電気的に接続される通信装置と、
前記電力線を介して前記通信装置から取得される、前記バッテリセルに関する情報に基づいて、前記バッテリセルの管理に関する処理を行う管理装置と、
を有し、
前記通信装置は、
前記電力線を介して前記管理装置が送信させる、前記電力線を流れる電力の周波数よりも高い周波数の高周波信号から電力を得て駆動し、
前記高周波信号から得られる電力を前記バッテリセルの状態を検出するセンサに供給し、
供給された前記電力で駆動した前記センサから得られた、前記センサが検出した検出結果を示すセンサ情報を含む、前記バッテリセルに関する情報を、前記電力線を介して負荷変調で前記管理装置へ送信する、通信部を備え、
前記管理装置は、
前記通信装置から送信された、前記バッテリセルに関する情報に基づいて、前記バッテリセルの管理に関する処理を行う処理部を備え、
前記処理部は、前記バッテリセルに関する情報に含まれる前記センサ情報が示す前記センサの検出結果に応じた処理を行う、管理システム。
【符号の説明】
【０２３０】
１００    管理装置
１０２、２０２    通信部
１０４    制御部
１１０    処理部
２００    通信装置
３００    バッテリセル
４００    センサ
４００Ａ  温度センサ
４００Ｂ  電圧センサ
４００Ｃ  電流センサ
５００、６００    フィルタ
７００、７００Ａ、７００Ｂ、７００Ｃ    バッテリ装置
８００    バッテリパック
１０００、２０００、３０００、４０００    管理システム
【図１】
2014147896.tif 000003
【図２】
2014147896.tif 000004
【図３】
2014147896.tif 000005
【図４】
2014147896.tif 000006
【図５】
2014147896.tif 000007
【図６】
2014147896.tif 000008
【図７】
2014147896.tif 000009
【図８】
2014147896.tif 000010
【図９】
2014147896.tif 000011
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
バッテリセルに接続されている電力線を介して、前記電力線と電気的に接続されている通信装置から取得される、前記バッテリセルに関する情報に基づいて、前記バッテリセルの管理に関する処理を行う処理部を備え、
前記バッテリセルに関する情報は、前記バッテリセルの状態を検出するセンサが検出した検出結果を示すセンサ情報を含み、
前記処理部は、前記センサの検出結果に応じた処理を行う、管理装置。
【請求項２】
前記センサ情報は、温度センサが検出した前記バッテリセルの温度を示し、
前記処理部は、
前記センサ情報が示す前記バッテリセルの温度に基づいて、前記バッテリセルの状態を判定し、
前記バッテリセルが正常でないと判定された場合に、前記バッテリセルの使用を制限させる、請求項１に記載の管理装置。
【請求項３】
前記バッテリセルに関する情報は、電圧センサが検出した前記バッテリセルの電圧を示す前記センサ情報を含み、
前記バッテリセルが充電されている状態であると判定された場合、
前記処理部は、前記センサ情報が示す前記バッテリセルの電圧に基づく、前記バッテリセルに対する充電制御を行う、請求項１または２に記載の管理装置。
【請求項４】
前記バッテリセルに関する情報は、電圧センサが検出した前記バッテリセルの電圧を示す前記センサ情報を含み、
前記バッテリセルが放電している状態であると判定された場合、
前記処理部は、前記センサ情報が示す前記バッテリセルの電圧に基づいて、前記バッテリセルの放電状態を判定し、
判定結果に応じて、前記バッテリセルの放電を制限させる、請求項１〜３のいずれか１項に記載の管理装置。
【請求項５】
前記センサ情報は、電圧センサが検出した前記バッテリセルの電圧を示し、
前記処理部は、前記センサ情報が示す前記バッテリセルの電圧に基づいて、前記バッテリセルに蓄積されている電荷量を推定する、請求項１〜４のいずれか１項に記載の管理装置。
【請求項６】
前記処理部は、前記センサ情報が示す前記センサの検出結果に基づくログ情報と、前記ログ情報を記録媒体に記録させる記録命令とを、前記電力線を介して前記通信装置に対して送信させる、請求項１〜５のいずれか１項に記載の管理装置。
【請求項７】
前記通信装置と前記電力線を介して通信を行う通信部をさらに備え、
前記処理部は、前記通信部に前記通信装置と通信を行わせることによって、前記通信装置から前記バッテリセルに関する情報を取得する、請求項１〜６のいずれか１項に記載の管理装置。
【請求項８】
前記通信部は、
前記通信装置に対して前記バッテリセルに関する情報を送信させる信号を送信し、
前記通信装置において受信された前記信号に基づいて負荷変調が行われることによって送信される、前記バッテリセルに関する情報を、受信する、請求項７に記載の管理装置。
【請求項９】
前記通信部は、
前記電力線と接続され、少なくとも前記電力線を流れる電力の周波数の信号を遮断し、前記電力の周波数よりも高い周波数の高周波信号を遮断しないフィルタと接続され、
前記高周波信号を前記フィルタおよび前記電力線を介して送信して、前記通信装置と通信を行う、請求項７または８に記載の管理装置。
【請求項１０】
バッテリセルに接続されている電力線と電気的に接続され、
前記電力線を介して外部装置から送信される、前記電力線を流れる電力の周波数よりも高い周波数の高周波信号から電力を得て駆動し、
前記高周波信号から得られる電力を前記バッテリセルの状態を検出するセンサに供給し、
供給された前記電力で駆動した前記センサから得られた、前記センサが検出した検出結果を示すセンサ情報を含む、前記バッテリセルに関する情報を、前記電力線を介して負荷変調で前記外部装置へ送信する、通信部を備える、通信装置。
【請求項１１】
前記通信部は、前記バッテリセルの正極側の電力線および負極側の電力線に接続される、請求項１０に記載の通信装置。
【請求項１２】
前記通信部は、前記バッテリセルの正極側の電力線、または、負極側の電力線に接続される、請求項１０に記載の通信装置。
【請求項１３】
前記バッテリセルをさらに備える、請求項１０〜１２のいずれか１項に記載の通信装置。
【請求項１４】
前記センサをさらに備える、請求項１０〜１３のいずれか１項に記載の通信装置。
【請求項１５】
バッテリセルに接続されている電力線を介して、前記電力線と電気的に接続されている通信装置から取得される、前記バッテリセルに関する情報に基づいて、前記バッテリセルの管理に関する処理を行うステップを有し、
前記バッテリセルに関する情報は、前記バッテリセルの状態を検出するセンサが検出した検出結果を示すセンサ情報を含み、
前記バッテリセルの管理に関する処理を行うステップでは、前記センサの検出結果に応じた処理が行われる、管理方法。
【請求項１６】
バッテリセルに接続されている電力線と電気的に接続される通信装置と、
前記電力線を介して前記通信装置から取得される、前記バッテリセルに関する情報に基づいて、前記バッテリセルの管理に関する処理を行う管理装置と、
を有し、
前記通信装置は、
前記電力線を介して前記管理装置が送信させる、前記電力線を流れる電力の周波数よりも高い周波数の高周波信号から電力を得て駆動し、
前記高周波信号から得られる電力を前記バッテリセルの状態を検出するセンサに供給し、
供給された前記電力で駆動した前記センサから得られた、前記センサが検出した検出結果を示すセンサ情報を含む、前記バッテリセルに関する情報を、前記電力線を介して負荷変調で前記管理装置へ送信する、通信部を備え、
前記管理装置は、
前記通信装置から送信された、前記バッテリセルに関する情報に基づいて、前記バッテリセルの管理に関する処理を行う処理部を備え、
前記処理部は、前記バッテリセルに関する情報に含まれる前記センサ情報が示す前記センサの検出結果に応じた処理を行う、管理システム。
【国際調査報告】
2014147896.tif 000012
2014147896.tif 000013
2014147896.tif 000014
2014147896.tif 000015